(57)【要約】  本発明の一実施形態による無線通信システムにおける端末（User Equipment：ＵＥ）の参照信号（Reference Signal：ＲＳ）受信方法において、第１アンテナポートを介して第１ＲＳを受信する段階と、前記第１アンテナポートとＱＣＬ（Quasi Co-Located）仮定される第２アンテナポートを介して第２ＲＳを受信する段階とを含むが、前記第１及び第２アンテナポートは少なくとも１つのＱＣＬパラメータに対してＱＣＬ仮定され、前記少なくとも１つのＱＣＬパラメータは受信ビーム関連パラメータとを含むことができる。【選択図】  図１４
2019528601.tif 000002
【特許請求の範囲】
【請求項１】
無線通信システムにおける端末（User Equipment：ＵＥ）の参照信号（Reference Signal：ＲＳ）受信方法において、
第１アンテナポートを介して第１ＲＳを受信する段階と、
前記第１アンテナポートとＱＣＬ（Quasi Co-Located）仮定される第２アンテナポートを介して第２ＲＳを受信する段階とを含むが、
前記第１及び第２アンテナポートは少なくとも１つのＱＣＬパラメータに対してＱＣＬ仮定され、
前記少なくとも１つのＱＣＬパラメータは受信ビーム関連パラメータを含むことを特徴とする、ＲＳ受信方法。
【請求項２】
前記受信ビーム関連パラメータは、受信ビーム方向パラメータ及び／又は受信ビーム幅関連パラメータを含むことを特徴とする、請求項１に記載のＲＳ受信方法。
【請求項３】
前記第２ＲＳは、前記第１ＲＳと同一の種類又は相異なる種類のＲＳに該当することを特徴とする、請求項１に記載のＲＳ受信方法。
【請求項４】
前記第１ＲＳは、第１ＣＳＩ（Channel state information）−ＲＳ資源にマッピングされた第１ＣＳＩ−ＲＳであり、前記第２ＲＳは、前記第１ＣＳＩ−ＲＳ資源と異なる第２ＣＳＩ−ＲＳ資源にマッピングされた第２ＣＳＩ−ＲＳである場合、
前記第１ＣＳＩ−ＲＳ資源に対応する前記第１アンテナポートと前記第２ＣＳＩ−ＲＳ資源に対応する前記第２アンテナポート間に前記受信ビーム関連パラメータに対してＱＣＬが仮定されることを特徴とする、請求項３に記載のＲＳ受信方法。
【請求項５】
前記第１及び第２ＲＳが同一のＣＳＩ−ＲＳ資源にマッピングされた同一のＣＳＩ−ＲＳである場合、
前記同一のＣＳＩ−ＲＳ資源に対応する前記第１と第２アンテナポート間に前記受信ビーム関連パラメータに対してＱＣＬが仮定されることを特徴とする、請求項３に記載のＲＳ受信方法。
【請求項６】
前記第１ＲＳはＣＳＩ−ＲＳであり、前記第２ＲＳはＳＳ（Synchronization Signal）である場合、
前記ＣＳＩ−ＲＳに対応する前記第１アンテナポートと前記ＳＳに対応する前記第２アンテナポート間に前記受信ビーム関連パラメータに対してＱＣＬが仮定されることを特徴とする、請求項３に記載のＲＳ受信方法。
【請求項７】
前記第１ＲＳはＤＭＲＳ（Demodulation RS）であり、前記第２ＲＳはＰＣＲＳ（Phase noise compensation RS）である場合、
前記ＤＭＲＳに対応する前記第１アンテナポートと前記ＰＣＲＳに対応する前記第２アンテナポート間に予め定義されている全てのＱＣＬパラメータに対してＱＣＬが仮定されることを特徴とする、請求項３に記載のＲＳ受信方法。
【請求項８】
前記ＰＣＲＳは、位相トラッキングのための参照信号に該当することを特徴とする、請求項７に記載のＲＳ受信方法。
【請求項９】
前記全てのＱＣＬパラメータは、前記受信ビーム関連パラメータ、遅延拡散（Delay spread）パラメータ、ドップラー拡散（Doppler spread）パラメータ、ドップラーシフト（Doppler shift）パラメータ、平均利得（Average gain）パラメータ及び／又は平均遅延（Average delay）パラメータを含むことを特徴とする、請求項７に記載のＲＳ受信方法。
【請求項１０】
前記ＤＭＲＳに対応する前記第１アンテナポートと前記ＰＣＲＳに対応する前記第２アンテナポート間に同一のプリコーディングが仮定されることを特徴とする、請求項７に記載のＲＳ受信方法。
【請求項１１】
前記第１と第２アンテナポート間にＱＣＬ仮定されるＱＣＬパラメータは、階層化したＱＣＬシグナリングを通じて前記端末に指示されることを特徴とする、請求項１に記載のＲＳ受信方法。
【請求項１２】
前記ＱＣＬパラメータが前記階層化したＱＣＬシグナリングを通じて指示される場合、
複数の１次候補（candidate）ＱＣＬ設定パラメータセットの設定をＲＲＣ（Radio Resource Control）シグナリングを通じて受ける段階と、
前記複数の１次候補ＱＣＬ設定パラメータセットの中から選択される複数の２次候補ＱＣＬ設定パラメータセットの設定をＬ２（Layer 2）／ＭＡＣ（medium access control）層シグナリングを通じて受ける段階と、
前記複数の２次候補ＱＣＬ設定パラメータセット中から最終選択されたＱＣＬ設定パラメータセットの設定をＬ１（Layer 1）／ＰＨＹ（Physical）層シグナリングを通じて受ける段階とをさらに含むことを特徴とする、請求項１１に記載のＲＳ受信方法。
【請求項１３】
無線通信システムにおいて参照信号（Reference Signal：ＲＳ）を受信する端末（User Equipment：ＵＥ）において、
無線信号を送受信するためのＲＦ（Radio Frequency）ユニットと、
前記ＲＦユニットを制御するプロセッサとを含み、
前記端末は、
第１アンテナポートを介して第１ＲＳを受信し、
前記第１アンテナポートとＱＣＬ（Quasi Co-Located）仮定される第２アンテナポートを介して第２ＲＳを受信し、
前記第１及び第２アンテナポートは、少なくとも１つのＱＣＬパラメータに対してＱＣＬ仮定され、
前記少なくとも１つのＱＣＬパラメータは受信ビーム関連パラメータを含むことを特徴とする、端末。
【請求項１４】
前記受信ビーム関連パラメータは、受信ビーム方向パラメータ及び／又は受信ビーム幅関連パラメータを含むことを特徴とする、請求項１３に記載の端末。
【請求項１５】
前記第２ＲＳは、前記第１ＲＳと同一の種類又は相異なる種類のＲＳに該当することを特徴とする、請求項１３に記載の端末。
【発明の詳細な説明】
【技術分野】
【０００１】
本発明は、無線通信システムに関し、より詳細には、ＱＣＬ仮定に基づいた端末の参照信号受信方法及びそのための装置に関する。
【背景技術】
【０００２】
移動通信システムは、ユーザの活動性を保証しながら音声サービスを提供するために開発された。しかしながら、移動通信システムは、音声だけでなくデータサービスまで領域を拡張し、現在では、爆発的なトラフィックの増加によって資源の不足現象が引き起こされ、ユーザがより高速のサービスを要求するので、より発展した移動通信システムが要求されている。
【０００３】
次世代移動通信システムの要求条件は、大きく爆発的なデータトラフィックの収容、ユーザ当たりの送信率の画期的な増加、大幅増加した接続デバイス数の収容、非常に低いエンドツーエンド遅延（Ｅｎｄ−ｔｏ−Ｅｎｄ  Ｌａｔｅｎｃｙ）、高エネルギー効率を支援できなければならない。このために、多重続性（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ−ｂａｎｄ  Ｆｕｌｌ  Ｄｕｐｌｅｘ）、非直交多重接続（ＮＯＭＡ：Ｎｏｎ−Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）支援、端末ネットワーキング（Ｄｅｖｉｃｅ  Ｎｅｔｗｏｒｋｉｎｇ）等、多様な技術が研究されている。
【発明の概要】
【発明が解決しようとする課題】
【０００４】
本発明の目的は、無線通信システムにおいて、適切なＱＣＬ（Quasi-co-Location）仮定を通じて端末の参照信号受信性能を向上させることにある。
【０００５】
本発明で達成しようとする技術的課題は以上で言及した技術的課題に制限されず、言及しない更に他の技術的課題は以下の記載から本発明が属する技術分野で通常の知識を有する者に明確に理解できるはずである。
【課題を解決するための手段】
【０００６】
本発明の一実施形態による無線通信システムにおける端末（User Equipment：ＵＥ）の参照信号（Reference Signal：ＲＳ）受信方法において、第１アンテナポートを介して第１ＲＳを受信する段階と、前記第１アンテナポートとＱＣＬ（Quasi Co-Located）仮定される第２アンテナポートを介して第２ＲＳを受信する段階とを含むが、前記第１及び第２アンテナポートは、少なくとも１つのＱＣＬパラメータに対してＱＣＬ仮定され、前記少なくとも１つのＱＣＬパラメータは受信ビーム関連パラメータを含んでもよい。
【０００７】
さらに、前記受信ビーム関連パラメータは、受信ビーム方向パラメータ及び／又は受信ビーム幅関連パラメータを含んでもよい。
【０００８】
さらに、前記第２ＲＳは、前記第１ＲＳと同一の種類又は相異なる種類のＲＳに該当する。
【０００９】
さらに、前記第１ＲＳは第１ＣＳＩ（Channel state information）−ＲＳ資源にマッピングされた第１ＣＳＩ−ＲＳであり、前記第２ＲＳは前記第１ＣＳＩ−ＲＳ資源と異なる第２ＣＳＩ−ＲＳ資源にマッピングされた第２ＣＳＩ−ＲＳである場合、前記第１ＣＳＩ−ＲＳ資源に対応する前記第１アンテナポートと前記第２ＣＳＩ−ＲＳ資源に対応する前記第２アンテナポート間に前記受信ビーム関連パラメータに対してＱＣＬが仮定されることができる。
【００１０】
さらに、前記第１及び第２ＲＳが同一のＣＳＩ−ＲＳ資源にマッピングされた同一のＣＳＩ−ＲＳである場合、前記同一のＣＳＩ−ＲＳ資源に対応する前記第１と第２アンテナポート間に前記受信ビーム関連パラメータに対してＱＣＬが仮定されることができる。
【００１１】
さらに、前記第１ＲＳはＣＳＩ−ＲＳであり、前記第２ＲＳはＳＳ（Synchronization Signal）である場合、前記ＣＳＩ−ＲＳに対応する前記第１アンテナポートと前記ＳＳに対応する前記第２アンテナポート間に前記受信ビーム関連パラメータに対してＱＣＬが仮定されることができる。
【００１２】
さらに、前記第１ＲＳは、ＤＭＲＳ（Demodulation RS）であり、前記第２ＲＳはＰＣＲＳ（Phase noise compensation RS）である場合、前記ＤＭＲＳに対応する前記第１アンテナポートと前記ＰＣＲＳに対応する前記第２アンテナポート間に予め定義されている全てのＱＣＬパラメータに対してＱＣＬが仮定されることができる。
【００１３】
さらに、前記ＰＣＲＳは、位相トラッキングのための参照信号に該当することができる。
【００１４】
さらに、前記全てのＱＣＬパラメータは、前記受信ビーム関連パラメータ、遅延拡散（Delay spread）パラメータ、ドップラー拡散（Doppler spread）パラメータ、ドップラーシフト（Doppler shift）パラメータ、平均利得（Average gain）パラメータ及び／又は平均遅延（Average delay）パラメータを含んでもよい。
【００１５】
さらに、前記ＤＭＲＳに対応する前記第１アンテナポートと前記ＰＣＲＳに対応する前記第２アンテナポート間に同一のプリコーディングが仮定されることができる。
【００１６】
さらに、前記第１と第２アンテナポート間にＱＣＬ仮定されるＱＣＬパラメータは、階層化したＱＣＬシグナリングを通じて前記端末に指示されることができる。
【００１７】
さらに、前記ＱＣＬパラメータが前記階層化したＱＣＬシグナリングを通じて指示される場合、複数の１次候補（candidate）ＱＣＬ設定パラメータセットの設定をＲＲＣ（Radio Resource Control）シグナリングを通じて受ける段階と、複数の１次候補ＱＣＬ設定パラメータセットの中から選択される複数の２次候補ＱＣＬ設定パラメータセットの設定をＬ２（Layer 2）／ＭＡＣ（medium access control）層シグナリングを通じて受ける段階と、前記複数の２次候補ＱＣＬ設定パラメータセットの中から最終選択されたＱＣＬ設定パラメータセットの設定をＬ１（Layer 1）／ＰＨＹ（Physical）層シグナリングを通じて受ける段階とをさらに含んでもよい。
【００１８】
さらに、本発明の他の実施形態による無線通信システムにおいて参照信号（Reference Signal：ＲＳ）を受信する端末（User Equipment：ＵＥ）は、無線信号を送受信するためのＲＦ（Radio Frequency）ユニットと、前記ＲＦユニットを制御するプロセッサとを含み、前記端末は、第１アンテナポートを介して第１ＲＳを受信し、前記第１アンテナポートとＱＣＬ（Quasi Co-Located）仮定される第２アンテナポートを介して第２ＲＳを受信し、前記第１及び第２アンテナポートは、少なくとも１つのＱＣＬパラメータに対してＱＣＬ仮定され、前記少なくとも１つのＱＣＬパラメータは受信ビーム関連パラメータを含んでもよい。
【００１９】
さらに、前記受信ビーム関連パラメータは、受信ビーム方向パラメータ及び／又は受信ビーム幅関連パラメータを含んでもよい。
【００２０】
さらに、前記第２ＲＳは、前記第１ＲＳと同一の種類又は異なる種類のＲＳに該当する。
【発明の効果】
【００２１】
本発明の一実施形態によれば、新しいＱＣＬパラメータとして受信ビーム関連パラメータを定義することにより、端末のＲＳの空間観点からの受信性能がさらに向上するという効果を有する。
【００２２】
さらに、本発明の一実施形態によれば、相異なる種類のＲＳに対するＧＣＬ仮定が可能であるため、特定ＲＳの密度が増加することと同一の効果をもたらして該当ＲＳの受信性能を向上させることができるという効果を有する。
【００２３】
さらに、本発明の一実施形態によれば、ＱＣＬシグナリングを階層化したシグナリング方式で端末に指示するため、シグナリングオーバーヘッドを減らすことができるだけでなく、瞬時的な状況を考慮した半静的なＱＣＬ指示ができるという効果を有する。
【００２４】
本発明で得ることができる効果は、以上で言及した効果に制限されず、言及しない更に他の効果は以下の記載から本発明が属する技術分野で通常の知識を有する者に明確に理解できるはずである。
【図面の簡単な説明】
【００２５】
本発明に関する理解を助けるために詳細な説明の一部として含まれる添付図面は、本発明に対する実施形態を提供し、詳細な説明と共に本発明の技術的特徴を説明する。
【図１】本発明が適用できる無線通信システムにおける無線フレームの構造を示す。
【図２】本発明が適用できる無線通信システムにおける１つのダウンリンクスロットに対する資源グリッド（ｒｅｓｏｕｒｃｅ  ｇｒｉｄ）を例示した図である。
【図３】本発明が適用できる無線通信システムにおけるダウンリンクサブフレームの構造を示す。
【図４】本発明が適用できる無線通信システムにおけるアップリンクサブフレームの構造を示す。
【図５】本発明が適用できる自己完結型（self-contained）サブフレーム構造を例示する。
【図６】第１ＴＸＲＵ仮想化モデルオプションであるサブアレイパーティションモデルを例示する。
【図７】第２ＴＸＲＵ仮想化モデルオプションであるフルコネクションモデルを例示する。
【図８】本発明が適用できる無線通信システムにおいてダウンリンク資源ブロック対にマッピングされた参照信号パターンを例示する。
【図９】ＴＸＲＵ別のサービス領域を例示した図である。
【図１０】本発明が適用できるパネル別にアナログビームフォーミングが適用されたアンテナパネルモデルを例示する。
【図１１】本発明の一実施形態によってパネル当たり１つのＣＳＩ−ＲＳ資源がマッピングされる方式を例示する。
【図１２】本発明の一実施形態によってパネル当たり複数のＣＳＩ−ＲＳ資源がマッピングされる方式を例示する。
【図１３】本発明の一実施形態によって複数のパネルに対して共有される（shared）ＣＳＩ−ＲＳ資源がマッピングされる方式を例示する。
【図１４】本発明の一実施形態による端末のＲＳ受信方法を例示したフローチャートである。
【図１５】本発明の一実施形態による無線通信装置のブロック構成図を例示する。
【発明を実施するための形態】
【００２６】
以下、本発明にかかる好ましい実施の形態を添付された図面を参照して詳細に説明する。添付された図面と共に以下に開示する詳細な説明は、本発明の例示的な実施の形態を説明するためのものであり、本発明が実施されうる唯一の実施の形態を示すためのものではない。以下の詳細な説明は、本発明の完全な理解を提供するために具体的細部事項を含む。しかしながら、当業者は、本発明がこのような具体的細部事項がなくても実施できることを理解すべきである。
【００２７】
いくつかの場合、本発明の概念が曖昧になることを避けるために、公知の構造及び装置は省略されるか、または各構造及び装置の核心機能を中心にしたブロック図形式で示されることができる。
【００２８】
本明細書において基地局は、端末と直接的に通信を行うネットワークの終端ノード（ｔｅｒｍｉｎａｌ  ｎｏｄｅ）としての意味を有する。本文書において基地局により行われると説明された特定動作は、場合によっては、基地局の上位ノード（ｕｐｐｅｒ  ｎｏｄｅ）により行われても良い。すなわち、基地局を含む複数のネットワークノード（ｎｅｔｗｏｒｋ  ｎｏｄｅｓ）からなるネットワークにおいて端末との通信のために行われる多様な動作は、基地局または基地局以外の他のネットワークノードにより行われうることは明らかである。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）, gNB(g-NodeB, NR(NewRAT)/5G-NodeB) などの用語により代替されることができる。また、「端末（Ｔｅｒｍｉｎａｌ）」は、固定されるか、または移動性を有することができ、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置などの用語に代替されることができる。
【００２９】
以下、ダウンリンク（ＤＬ：ｄｏｗｎｌｉｎｋ）は、基地局から端末への通信を意味し、アップリンク（ＵＬ：ｕｐｌｉｎｋ）は、端末から基地局への通信を意味する。ダウンリンクにおける送信機は、基地局の一部で、受信機は、端末の一部でありうる。アップリンクにおける送信機は、端末の一部で、受信機は、基地局の一部でありうる。
【００３０】
以下の説明において用いられる特定用語は、本発明の理解に役立つために提供されたものであり、このような特定用語の使用は、本発明の技術的思想から外れない範囲内で他の形態に変更されることができる。
【００３１】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ−ｏｒｔｈｏｇｏｎａｌ  ｍｕｌｔｉｐｌｅ  ａｃｃｅｓｓ）などのような多様な無線接続システムに利用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）またはＣＤＭＡ２０００のような無線技術（ｒａｄｉｏ  ｔｅｃｈｎｏｌｏｇｙ）により実現できる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術により実現できる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（ｅｖｏｌｖｅｄ  ＵＴＲＡ）などのような無線技術により実現できる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡを使用するＥ−ＵＭＴＳ（ｅｖｏｌｖｅｄ  ＵＭＴＳ）の一部であり、ダウンリンクにおいてＯＦＤＭＡを採用し、アップリンクにおいてＳＣ−ＦＤＭＡを採用する。ＬＴＥ−Ａ（ａｄｖａｎｃｅｄ）は、３ＧＰＰ  ＬＴＥの進化である。
【００３２】
本発明の実施の形態は、無線接続システムであるＩＥＥＥ  ８０２、３ＧＰＰ及び３ＧＰＰ２のうち、少なくとも１つに開示された標準文書により裏付けられることができる。すなわち、本発明の実施の形態のうち、本発明の技術的思想を明確にあらわすために、説明しない段階または部分は、前記文書により裏付けられることができる。また、本文書に開示しているすべての用語は、前記標準文書により説明されることができる。
【００３３】
説明を明確にするために、３ＧＰＰ  ＬＴＥ／ＬＴＥ−Ａを中心に述べるが、本発明の技術的特徴がこれに制限されることではない。
【００３４】
＜システム一般＞
【００３５】
図１は、本発明が適用できる無線通信システムにおける無線フレームの構造を示す。
【００３６】
３ＧＰＰ ＬＴＥ／ＬＴＥ−Ａでは、ＦＤＤ（Frequency Division Duplex）に適用できるタイプ１無線フレーム（radio frame）構造とＴＤＤ（Time Division Duplex）に適用できるタイプ２の無線フレーム構造を支援する。
【００３７】
図１の（ａ）は、タイプ１無線フレームの構造を例示する。無線フレームは１０個のサブフレームから構成される。１つのサブフレームは、時間領域（time domain）において２つのスロット（slot）から構成される。１つのサブフレームの送信にかかる時間をＴＴＩ（transmission time interval）という。例えば、１つのサブフレームの長さは１ｍｓであり、１つのスロットの長さは０．５ｍｓでありうる。
【００３８】
１つのスロットは、時間領域において複数のＯＦＤＭ（orthogonal frequency division multiplexing）シンボルを含み、周波数領域において複数の資源ブロック（ＲＢ：Resource Block）を含む。３ＧＰＰ ＬＴＥは、ダウンリンクでＯＦＤＭＡを用いるので、ＯＦＤＭシンボルは１つのシンボル区間（symbol period）を表現するためのものである。ＯＦＤＭシンボルは、１つのＳＣ−ＦＤＭＡシンボル又はシンボル区間ということができる。資源ブロックはリソース割り当て単位であり、１つのスロットにおいて複数の連続的な副搬送波（subcarrier）を含む。
【００３９】
図１の（ｂ）は、タイプ２フレーム構造（frame structure type 2）を示す。タイプ２無線フレームは２つのハーフフレーム（half frame）から構成され、各ハーフフレームは、５つのサブフレームとＤｗＰＴＳ（Downlink Pilot Time Slot）、保護区間（ＧＰ：Guard Period）、ＵｐＰＴＳ（Uplink Pilot Time Slot）から構成され、このうち１つのサブフレームは２つのスロットから構成される。ＤｗＰＴＳは、端末での初期セル探索、同期化又はチャネル推定に用いられる。ＵｐＰＴＳは、基地局でのチャネル推定と端末のアップリンク送信同期を合わせるのに用いられる。保護区間は、アップリンクとダウンリンク間にダウンリンク信号のマルチパス遅延によりアップリンクで発生する干渉を除去するための区間である。
【００４０】
ＴＤＤシステムのタイプ２フレーム構造において、アップリンク−ダウンリンク構成（uplink-downlink configuration）は全てのサブフレームに対してアップリンクとダウンリンクが割り当てられる（又は、予約される）かを示す規則である。表１はアップリンク−ダウンリンク構成を示す。  
【００４１】
【表１】
2019528601.tif 000003
【００４２】
表１を参照すると、無線フレームの各サブフレーム別に、「Ｄ」はダウンリンク送信のためのサブフレームを示し、「Ｕ」はアップリンク送信のためのサブフレームを示し、「Ｓ」はＤｗＰＴＳ、ＧＰ、ＵｐＰＴＳの３種類のフィールドから構成されるスペシャルサブフレーム（special subframe）を示す。アップリンク−ダウンリンク構成は、７種類に区分されることができ、各構成別にダウンリンクサブフレーム、スペシャルサブフレーム、アップリンクサブフレームの位置及び／または数が異なる。
【００４３】
ダウンリンクからアップリンクに変更される時点またはアップリンクからダウンリンクに切り替えられる時点を切り替え時点（ｓｗｉｔｃｈｉｎｇ  ｐｏｉｎｔ）という。切り替え時点の周期性（Ｓｗｉｔｃｈ−ｐｏｉｎｔ  ｐｅｒｉｏｄｉｃｉｔｙ）は、アップリンクサブフレームとダウンリンクサブフレームが切り替えられる様相が同様に繰り返される周期を意味し、５ｍｓまたは１０ｍｓが全て支援される。５ｍｓダウンリンク−アップリンク切り替え時点の周期を有する場合には、スペシャルサブフレーム（Ｓ）は、ハーフフレーム毎に存在し、５ｍｓダウンリンク−アップリンク切り替え時点の周期を有する場合には、１番目のハーフフレームだけに存在する。
【００４４】
すべての構成において、０番、５番サブフレーム及びＤｗＰＴＳは、ダウンリンク送信だけのための区間である。ＵｐＰＴＳ及びサブフレームサブフレームに直ちにつながるサブフレームは、常にアップリンク送信のための区間である。
【００４５】
このような、アップリンク−ダウンリンク構成はシステム情報であって、基地局と端末ともが知っていることができる。基地局は、アップリンク−ダウンリンク構成情報が変わる毎に構成情報のインデックスだけを送信することによって、無線フレームのアップリンク−ダウンリンク割り当て状態の変更を端末に知らせることができる。また、構成情報は、一種のダウンリンク制御情報として他のスケジューリング情報と同様にＰＤＣＣＨ（Ｐｈｙｓｉｃａｌ  Ｄｏｗｎｌｉｎｋ  ｃｏｎｔｒｏｌ  Ｃｈａｎｎｅｌ）を介して送信されることができ、放送情報としてブロードキャストチャネル（ｂｒｏａｄｃａｓｔ  ｃｈａｎｎｅｌ）を介してセル内のすべての端末に共通に送信されることもできる。
【００４６】
表２は、スペシャルサブフレームの構成（ＤｗＰＴＳ／ＧＰ／ＵｐＰＴＳの長さ）を示す。
【００４７】
【表２】
2019528601.tif 000004
【００４８】
1つの例示に過ぎず、無線フレームに含まれる副搬送波の数またはサブフレームに含まれるスロットの数、スロットに含まれるＯＦＤＭシンボルの数は、多様に変更されることができる。
【００４９】
図２は、本発明が適用されることができる無線通信システムにおける１つのダウンリンクスロットに対する資源グリッド（ｒｅｓｏｕｒｃｅ  ｇｒｉｄ）を示した図である。
【００５０】
図２に示すように、１つのダウンリンクスロットは、時間領域において複数のＯＦＤＭシンボルを含む。ここで、１つのダウンリンクスロットは、７個のＯＦＤＭシンボルを含み、１つの資源ブロックは、周波数領域において１２個の副搬送波を含むことを例示的に述べるが、これに限定されるものではない。
【００５１】
資源グリッド上において各要素（ｅｌｅｍｅｎｔ）を資源要素（ｒｅｓｏｕｒｃｅ  ｅｌｅｍｅｎｔ）とし、１つの資源ブロック（ＲＢ：ｒｅｓｏｕｒｃｅ  ｂｌｏｃｋ）は、１２×７個の資源要素を含む。ダウンリンクスロットに含まれる資源ブロックの数NDLは、ダウンリンク送信帯域幅（ｂａｎｄｗｉｄｔｈ）に従属する。
【００５２】
アップリンクスロットの構造は、ダウンリンクスロットの構造と同一でありうる。
【００５３】
図３は、本発明が適用されることができる無線通信システムにおけるダウンリンクサブフレームの構造を示す。
【００５４】
図３に示すように、サブフレーム内の第１番目のスロットにおいて前の最大３個のＯＦＤＭシンボルが制御チャネルが割り当てられる制御領域（ｃｏｎｔｒｏｌ  ｒｅｇｉｏｎ）であり、残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域（ｄａｔａ  ｒｅｇｉｏｎ）である。３ＧＰＰ  ＬＴＥで使用されるダウンリンク制御チャネルの一例にＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ    ｃｏｎｔｒｏｌ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００５５】
ＰＣＦＩＣＨは、サブフレームの第１番目のＯＦＤＭシンボルにおいて送信され、サブフレーム内に制御チャネルの送信のために使用されるＯＦＤＭシンボルの数（すなわち、制御領域のサイズ）に関する情報を運ぶ。ＰＨＩＣＨは、アップリンクに対する応答チャネルで、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号を運ぶ。ＰＤＣＣＨを介して送信される制御情報をダウンリンク制御情報（ＤＣＩ：ｄｏｗｎｌｉｎｋ  ｃｏｎｔｒｏｌ  ｉｎｆｏｒｍａｔｉｏｎ）という。ダウンリンク制御情報は、アップリンク資源割り当て情報、ダウンリンク資源割り当て情報または任意の端末グループに対するアップリンク送信（Ｔｘ）パワー制御命令を含む。
【００５６】
ＰＤＣＣＨは、ＤＬ−ＳＣＨ（Ｄｏｗｎｌｉｎｋ  Ｓｈａｒｅｄ  Ｃｈａｎｎｅｌ）の資源割り当て及び送信フォーマット（これをダウンリンクグラントともいう）、ＵＬ−ＳＣＨ（Ｕｐｌｉｎｋ  Ｓｈａｒｅｄ  Ｃｈａｎｎｅｌ）の資源割り当て情報（これをアップリンクグラントともいう）、ＰＣＨ（Ｐａｇｉｎｇ  Ｃｈａｎｎｅｌ）でのページング（ｐａｇｉｎｇ）情報、ＤＬ−ＳＣＨでのシステム情報、ＰＤＳＣＨから送信されるランダムアクセス応答（ｒａｎｄｏｍ  ａｃｃｅｓｓ  ｒｅｓｐｏｎｓｅ）のような上位層（ｕｐｐｅｒ−ｌａｙｅｒ）制御メッセージに対する資源割り当て、任意の端末グループ内の個別端末に対する送信パワー制御命令の集合、ＶｏＩＰ（Ｖｏｉｃｅ  ｏｖｅｒ  ＩＰ）の活性化などを運ぶことができる。複数のＰＤＣＣＨは、制御領域内で送信されることができ、端末は、複数のＰＤＣＣＨをモニタリングできる。ＰＤＣＣＨは、１つまたは複数の連続的なＣＣＥ（ｃｏｎｔｒｏｌ  ｃｈａｎｎｅｌ  ｅｌｅｍｅｎｔｓ）の集合から構成される。ＣＣＥは、無線チャネルの状態に応じる符号化率（ｃｏｄｉｎｇ  ｒａｔｅ）をＰＤＣＣＨに提供するために使用される論理的割り当て単位である。ＣＣＥは、複数の資源要素グループ（ｒｅｓｏｕｒｃｅ  ｅｌｅｍｅｎｔ  ｇｒｏｕｐ）に対応する。ＰＤＣＣＨのフォーマット及び使用可能なＰＤＣＣＨのビット数は、ＣＣＥの数とＣＣＥにより提供される符号化率間の関連関係によって決定される。
【００５７】
基地局は、端末に送信しようとするＤＣＩに応じてＰＤＣＣＨフォーマットを決定し、制御情報にＣＲＣ（Ｃｙｃｌｉｃ  Ｒｅｄｕｎｄａｎｃｙ  Ｃｈｅｃｋ）を付ける。ＣＲＣには、ＰＤＣＣＨの所有者（ｏｗｎｅｒ）または用途に応じて、固有の識別子（これをＲＮＴＩ（Ｒａｄｉｏ  Ｎｅｔｗｏｒｋ  Ｔｅｍｐｏｒａｒｙ  Ｉｄｅｎｔｉｆｉｅｒ）という。）がマスキングされる。特定の端末のためのＰＤＣＣＨであれば、端末の固有の識別子、例えばＣ−ＲＮＴＩ（Ｃｅｌｌ−ＲＮＴＩ）がＣＲＣにマスキングされることができる。またはページングメッセージのためのＰＤＣＣＨであれば、ページング指示識別子、例えばＰ−ＲＮＴＩ（Ｐａｇｉｎｇ−ＲＮＴＩ）がＣＲＣにマスキングされることができる。システム情報、さらに具体的にシステム情報ブロック（ＳＩＢ：ｓｙｓｔｅｍ  ｉｎｆｏｒｍａｔｉｏｎ  ｂｌｏｃｋ）のためのＰＤＣＣＨであれば、システム情報識別子、ＳＩ−ＲＮＴＩ（ｓｙｓｔｅｍ  ｉｎｆｏｒｍａｔｉｏｎ  ＲＮＴＩ）がＣＲＣにマスキングされることができる。端末のランダムアクセスプリアンブルの送信に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングされることができる。
【００５８】
図４は、本発明が適用されることができる無線通信システムにおけるアップリンクサブフレームの構造を示す。
【００５９】
図４に示すように、アップリンクサブフレームは、周波数領域において制御領域とデータ領域とに分けられる。制御領域には、アップリンク制御情報を運ぶＰＵＣＣＨ（Ｐｈｙｓｉｃａｌ  Ｕｐｌｉｎｋ  ｃｏｎｔｒｏｌ  Ｃｈａｎｎｅｌ）が割り当てられる。データ領域は、ユーザデータを運ぶＰＵＳＣＨ（Ｐｈｙｓｉｃａｌ  Ｕｐｌｉｎｋ  Ｓｈａｒｅｄ  Ｃｈａｎｎｅｌ）が割り当てられる。単一搬送波特性を維持するために、１つの端末は、ＰＵＣＣＨとＰＵＳＣＨを同時に送信しない。
【００６０】
１つの端末に対するＰＵＣＣＨにはサブフレーム内に資源ブロック（ＲＢ）対が割り当てられる。ＲＢ対に属するＲＢは、２つのスロットのそれぞれにおいて相異なる副搬送波を占める。これを、ＰＵＣＣＨに割り当てられたＲＢ対はスロット境界（slot boundary）で周波数ホッピング（frequency hopping）されるという。
【００６１】
より多くの通信機器がさらに大きい通信容量を要求するようになるにつれて既存のＲＡＴに比べて向上したモバイルブロードバンド（mobile broadband）通信の必要性が高くなっている。また、複数の機器及び事物を接続していつでもどこでも様々なサービスを提供する大規模ＭＴＣ（massive MTC（Machine Type Communications）も次世代通信において考慮される主な問題の１つである。それだけでなく、次世代通信において信頼度（reliability）及び遅延（latency）に敏感なサービス／ＵＥを考慮した通信システムデザインが論議されている。このように、向上した移動広域通信（enhanced mobile broadband communication）、大規模ＭＴＣ（massive MTC）、ＵＲＬＬＣ（Ultra-Reliable and Low Latency Communication）などを考慮した次世代ＲＡＴの導入が論議されており、このような技術を「Ｎｅｗ ＲＡＴ」という。
【００６２】
＜自己完結型（Self-contained）サブフレーム構造＞
【００６３】
図５は、本発明が適用できる自己完結型サブフレーム構造を例示する。
【００６４】
ＴＤＤシステムにおいてデータ送信遅延を最小化するために、第５世代Ｎｅｗ ＲＡＴでは図５に示すような自己完結型サブフレーム構造が考慮されている。図５において斜線領域はダウンリンク制御領域、黒色部分はアップリンク制御領域を示す。また、図５において表示無しの領域はダウンリンクデータ送信のために用いられることもでき、アップリンクデータ送信のために用いられることもできる。このような構造の特徴は、１つのサブフレーム内でＤＬ送信とＵＬ送信が順次行われることができるため、１つのサブフレーム内でＤＬデータを送り、ＵＬ ＡＣＫ／ＮＡＣＫを受けることができる。結果的に、データ送信エラーの発生時にデータの再送信までかかる時間が短縮され、これにより、最終データ伝達までの遅延を最小化することができる。
【００６５】
Ｎｅｗ ＲＡＴに基づいて動作するシステムにおいて、構成／設定可能な前記自己完結型サブフレーム構造の一例として、少なくとも次のような４種類のサブフレームタイプを考慮することができる。以下、各サブフレームタイプで存在する区間を時間順に列挙した。
【００６６】
１）ＤＬ制御区間＋ＤＬデータ区間＋ＧＰ（guard period）＋ＵＬ制御区間
【００６７】
２）ＤＬ制御区間＋ＤＬデータ区間
【００６８】
３）ＤＬ制御区間＋ＧＰ＋ＵＬデータ区間＋ＵＬ制御区間
【００６９】
４）ＤＬ制御区間＋ＧＰ＋ＵＬデータ区間
【００７０】
このような自己完結型サブフレーム構造において、基地局とＵＥが送信モードから受信モードに切り替えられる過程又は受信モードから送信モードに切り替えられる過程のための時間ギャップ（time gap）が必要である。このために、サブフレーム構造において、ＤＬからＵＬに切り替えられる時点の一部ＯＦＤＭシンボルがＧＰに設定され、このようなサブフレームタイプは「ｓｅｌｆ−ｃｏｎｔａｉｎｅｄ ＳＦ」ということができる。
【００７１】
＜アナログビームフォーミング（analog beamforming）＞
【００７２】
ミリメートル波 （Millimeter Wave：ｍｍＷ）では、波長が短くなって同一面積に複数のアンテナの設置が可能となる。すなわち、３０ＧＨｚ帯域において波長は１ｃｍであり、５×５ｃｍのパネルに０．５ラムダ（波長）間隔で２次元配列形態で合計１００個のアンテナ要素（element）が設置できる。従って、ｍｍＷでは複数のアンテナ要素を用いてビームフォーミング（beamforming：ＢＦ）利得を向上させてカバレッジを増加させるか、スループット（throughput）を向上させようとする。
【００７３】
この場合は、アンテナ要素別に送信パワー及び位相調節ができるようにＴＸＲＵ（transceiver unit）を有すると、周波数資源別に独立的なビームフォーミングが可能である。しかしながら、約１００個のアンテナ要素の全てにＴＸＲＵを設置することにはコストの側面で実効性が低下するという問題がある。従って、１つのＴＸＲＵに複数のアンテナ要素をマッピングし、アナログ位相シフター（analog phase shifter）でビームの方向を調節する方式が考慮されている。このようなアナログビームフォーミング方式は全帯域において１つのビーム方向のみを生成できるため、周波数選択的ビームフォーミングができないという欠点がある。
【００７４】
デジタルＢＦとアナログＢＦの中間形態でＱ個のアンテナ要素より少ない個数のＢ個のＴＸＲＵを有するハイブリッド（hybrid）ＢＦも考慮することができる。この場合、Ｂ個のＴＸＲＵとＱ個のアンテナ要素の接続方式によって違いはあるが、同時に送信できるビームの方向はＢ個以下に制限される。
【００７５】
図６及び図７は、ＴＸＲＵとアンテナ要素の代表的な接続方式を示す。より詳細には、図６は、第１ＴＸＲＵ仮想化モデルオプションであるサブアレイパーティションモデルを例示し、図７は、第２ＴＸＲＵ仮想化モデルオプションであるプール−コネクションモデルを例示する。図６及び図７において、ＴＸＲＵ仮想化モデルは、ＴＸＲＵの出力信号とアンテナ要素の出力信号間の関係を示す。
【００７６】
図６に示すように、ＴＸＲＵがサブアレイに接続される仮想化モデルの場合、アンテナ要素は１つのＴＸＲＵにのみ接続される。これとは異なり、ＴＸＲＵが全てのアンテナ要素に接続される仮想化モデルの場合、アンテナ要素は全てのＴＸＲＵに接続される。本図において、Ｗはアナログ位相シフターにより乗算される位相ベクトルを示す。すなわち、Ｗによりアナログビームフォーミング方向が決定される。ここで、ＣＳＩ−ＲＳアンテナポートとＴＸＲＵとのマッピングは、１対１（1 to 1, 1:1）又は一対多（1 to many, 1:N）でありうる。  
【００７７】
＜参照信号（ＲＳ：Reference Signal）＞
【００７８】
無線通信システムにおけるデータは無線チャンネルを介して転送されるので、信号は転送中に歪曲されることがある。受信端で歪曲された信号を正確に受信するために、受信された信号の歪曲はチャンネル情報を用いて補正されなければならない。チャンネル情報を検出するために送信側と受信側の両方とも知っている信号転送方法と信号がチャンネルを介して転送される時、歪曲された程度を用いてチャンネル情報を検出する方法を主に用いる。前述した信号をパイロット信号または参照信号（ＲＳ：ｒｅｆｅｒｅｎｃｅ  ｓｉｇｎａｌ）という。
【００７９】
また、最近、大部分の移動通信システムでパケットを転送する時、今まで１つの送信アンテナと１つの受信アンテナを使用したことから脱皮して、多重送信アンテナと多重受信アンテナを採択して送受信データ効率を向上させることができる方法を使用する。多重入出力アンテナを用いてデータを送受信する時、信号を正確に受信するために送信アンテナと受信アンテナとの間のチャンネル状態が検出されなければならない。したがって、各送信アンテナは個別的な参照信号を有しなければならない。
【００８０】
移動通信システムにおけるＲＳはその目的によって２つに大別できる。チャンネル状態情報獲得のための目的のＲＳとデータ復調のために使われるＲＳがある。前者はＵＥがダウンリンクへのチャンネル状態情報を獲得することにその目的があるので、広帯域に転送されなければならず、特定サブフレームでダウンリンクデータを受信しないＵＥでもそのＲＳを受信し測定できなければならない。また、これはハンドオーバーなどの無線資源無線資源管理（ＲＲＭ：Ｒａｄｉｏ  Ｒｅｓｏｕｒｃｅ  Ｍａｎａｇｅｍｅｎｔ）測定などのためにも使われる。後者は、基地局がダウンリンクを送る時、該当リソースに共に送るＲＳであって、ＵＥは該当ＲＳを受信することによってチャンネル推定を行うことができ、したがって、データを復調できるようになる。このＲＳはデータが転送される領域に転送されなければならない。
【００８１】
下向き参照信号はセル内の全ての端末が共有するチャンネル状態に対する情報獲得及びハンドオーバーの測定などのための１つの共通参照信号（ＣＲＳ：ｃｏｍｍｏｎ  ＲＳ）と特定端末のみのためにデータ復調のために使われる専用参照信号（ｄｅｄｉｃａｔｅｄ  ＲＳ）がある。このような参照信号を用いて復調（ｄｅｍｏｄｕｌａｔｉｏｎ）とチャンネル測定（ｃｈａｎｎｅｌ  ｍｅａｓｕｒｅｍｅｎｔ）のための情報を提供することができる。すなわち、ＤＲＳはデータ復調用のみに使われ、ＣＲＳはチャンネル情報獲得及びデータ復調の２つの目的に全て使われる。
【００８２】
受信側（すなわち、端末）はＣＲＳからチャネル状態を測定し、ＣＱＩ（Channel Quality Indicator）、ＰＭＩ（Precoding Matrix Index）及び／又はＲＩ（Rank Indicator）などのチャネル品質に関連したインジケータを送信側（すなわち、基地局）にフィードバックする。ＣＲＳは、セル特定基準信号（cell-specific RS）ともいう。それに対して、チャネル状態情報（ＣＳＩ: Channel State Information）のフィードバックに関連した参照信号をＣＳＩ−ＲＳと定義することができる。
【００８３】
３ＧＰＰ ＬＴＥ（−Ａ）システムにおいては、ＵＥがＣＳＩを基地局（ＢＳ）に報告するように定義されており、ここで、ＵＥとアンテナポート間に形成される無線チャネル（又は、リンクともいう）の品質を示す情報をＣＳＩと称する。例えば、ランクインジケータ（rank indicator：ＲＩ）、プリコーディング行列インジケータ（precoding matrix indicator：ＰＭＩ）、及び／又はチャネル品質インジケータ（channel quality indicator：ＣＱＩ）などがＣＳＩに該当する。ここで、ＲＩは、チャネルのランク（rank）情報を示し、これは、ＵＥが同一時間−周波数資源を通じて受信するストリームの数を意味する。ＲＩは、チャネルのロングターム（long-term）フェージング（fading）により従属して決定されるので、ＰＭＩ、通常はＣＱＩよりさら長い周期でＵＥから基地局にフィードバックされることができる。ＰＭＩは、チャネル空間特性を反映した値であり、ＳＩＮＲなどのメトリック（metric）を基準にＵＥが好むプリコーディングインデックスを示す。ＣＱＩは、チャネルの強度を示す値であり、一般的に基地局がＰＭＩを用いたときに得られる受信ＳＩＮＲを意味する。
【００８４】
３ＧＰＰ ＬＴＥ（−Ａ）システムにおいて、基地局は複数のＣＳＩプロセスをＵＥに設定し、各プロセスに対するＣＳＩの報告を受けることができる。ここで、ＣＳＩプロセスは、基地局からの信号品質測定のためのＣＳＩ−ＲＳと干渉測定のための ＣＳＩ−ＩＭ（CSI-interference measurement）資源を含むことができる。
【００８５】
ＤＲＳは、ＰＤＳＣＨ上のデータ復調が必要である場合、資源要素を通じて送信されることができる。端末は上位層を介してＤＲＳが存在するか否かを受信することができ、対応するＰＤＳＣＨがマッピングされたときにのみ有効である。ＤＲＳを端末特定参照信号（UE-specific RS）又は復調参照信号（ＤＭＲＳ: Demodulation RS）ということができる。
【００８６】
図８は、本発明が適用できる無線通信システムにおいてダウンリンク資源ブロック対にマッピングされた参照信号パターンを例示する。
【００８７】
図８に示すように、参照信号がマッピングされる単位でダウンリンク資源ブロック対は時間領域において１つのサブフレーム×周波数領域において１２個の副搬送波で示すことができる。すなわち、時間軸（ｘ軸）上で１つの資源ブロック対は、ノーマル巡回プレフィックス（normal CP（Cyclic Prefix））である場合は１４個のＯＦＤＭシンボルの長さを有し（図７ａの場合）、拡張巡回プレフィックス（extended CP）である場合は１２個のＯＦＤＭシンボルの長さを有する（図７ｂの場合）。資源ブロック格子において「０」、「１」、「２」及び「３」と記載されている資源要素（REs）はそれぞれアンテナポートインデックス「０」、「１」、「２」及び「３」のＣＲＳの位置を意味し、「Ｄ」と記載されている資源要素はＤＲＳの位置を意味する。  
【００８８】
基地局が単一の送信アンテナを使用する場合、単一アンテナポートのための参照信号が配列される。
【００８９】
基地局が２個の送信アンテナを使用する場合、２個の送信アンテナポートのための参照信号は時分割多重化（ＴＤＭ：Ｔｉｍｅ  Ｄｉｖｉｓｉｏｎ  Ｍｕｌｔｉｐｌｅｘｉｎｇ）及び／又は周波数分割多重化（ＦＤＭ  Ｆｒｅｑｕｅｎｃｙ  Ｄｉｖｉｓｉｏｎ  Ｍｕｌｔｉｐｌｅｘｉｎｇ）方式を用いて配列される。すなわち、２個のアンテナポートのための参照信号は各々が区別されるために互いに異なる時間資源及び／又は互いに異なる周波数資源が割り当てられる。
【００９０】
なお、基地局が４個の送信アンテナを使用する場合、４個の送信アンテナポートのための参照信号はＴＤＭ及び／又はＦＤＭ方式を用いて配列される。ダウンリンク信号の受信側（端末）により測定されたチャンネル情報は、単一の送信アンテナ転送、送信ダイバーシティ、閉ループ空間多重化（ｃｌｏｓｅｄ−ｌｏｏｐ  ｓｐａｔｉａｌ  ｍｕｌｔｉｐｌｅｘｉｎｇ）、開ループ空間多重化（ｏｐｅｎ−ｌｏｏｐ  ｓｐａｔｉａｌ  ｍｕｌｔｉｐｌｅｘｉｎｇ）、または多重ユーザ−多重入出力アンテナ（ｍｕｌｔｉ−Ｕｓｅｒ  ＭＩＭＯ）のような転送方式を用いて転送されたデータを復調するために使われることができる。
【００９１】
多重入出力アンテナが支援される場合、参照信号が特定のアンテナポートから転送される時、前記参照信号は参照信号のパターンによって特定された資源要素の位置に転送され、異なるアンテナポートのために特定された資源要素の位置に転送されない。すなわち、互いに異なるアンテナ間の参照信号は互いに重ならない。
【００９２】
ＬＴＥシステムの進化発展した形態のＬＴＥ−Ａシステムで基地局のダウンリンクに最大８個の送信アンテナが支援できるようにデザインされなければならない。したがって、最大８個の送信アンテナに対するＲＳも支援されなければならない。ＬＴＥシステムでダウンリンクＲＳは最大４個のアンテナポートに対するＲＳのみ定義されているので、ＬＴＥ−Ａシステムで基地局が４個以上最大８個のダウンリンク送信アンテナを有する場合、これらアンテナポートに対するＲＳが追加的に定義されデザインされなければならない。最大８個の送信アンテナポートに対するＲＳは、前述したチャンネル測定のためのＲＳとデータ復調のためのＲＳの２つが全てデザインされなければならない。
【００９３】
ＬＴＥ−Ａシステムをデザインするに当たって、重要な考慮事項のうちの１つは、下位互換性（ｂａｃｋｗａｒｄ  ｃｏｍｐａｔｉｂｉｌｉｔｙ）、すなわちＬＴＥ端末がＬＴＥ−Ａシステムでも何の無理なく、よく動作しなければならず、システムもこれを支援しなければならないことである。ＲＳ転送の観点から見ると、ＬＴＥで定義されているＣＲＳが全帯域にサブフレーム毎に転送される時間−周波数領域で追加的に最大８個の送信アンテナポートに対するＲＳが追加的に定義されなければならない。ＬＴＥ−Ａシステムで既存ＬＴＥのＣＲＳのような方式により最大８個の送信アンテナに対するＲＳパターンをサブフレーム毎に全帯域に追加するようになれば、ＲＳオーバーヘッドが大きすぎるようになる。
【００９４】
したがって、ＬＴＥ−Ａシステムで新しくデザインされるＲＳは２つに大別されるが、ＭＣＳ、ＰＭＩなどの選択のためのチャンネル測定目的のＲＳ（ＣＳＩ−ＲＳ：Ｃｈａｎｎｅｌ  Ｓｔａｔｅ  Ｉｎｆｏｒｍａｔｉｏｎ−ＲＳ、Ｃｈａｎｎｅｌ  Ｓｔａｔｅ  Ｉｎｄｉｃａｔｉｏｎ−ＲＳなど）と８個の転送アンテナに転送されるデータ復調のためのＲＳ（ＤＭ−ＲＳ：Ｄａｔａ  Ｄｅｍｏｄｕｌａｔｉｏｎ−ＲＳ）である。
【００９５】
チャンネル測定目的のＣＳＩ−ＲＳは既存のＣＲＳがチャンネル測定、ハンドオーバーなどの測定などの目的と共に、データ復調のために使われることとは異なり、チャンネル測定中心の目的のためにデザインされる特徴がある。勿論これもまたハンドオーバーなどの測定などの目的に使われることもできる。ＣＳＩ−ＲＳがチャンネル状態に対する情報を得る目的のみに転送されるので、ＣＲＳとは異なり、サブフレーム毎に転送されなくてもよい。ＣＳＩ−ＲＳのオーバーヘッドを減らすためにＣＳＩ−ＲＳは時間軸上で間欠的に転送される。
【００９６】
ＬＴＥ−Ａシステムで基地局のダウンリンクに最大８個の送信アンテナを支援する。ＬＴＥ−Ａシステムで既存ＬＴＥのＣＲＳのような方式により最大８個の送信アンテナに対するＲＳをサブフレーム毎に全帯域に転送するようになれば、ＲＳオーバーヘッドが大きすぎるようになる。したがって、ＬＴＥ−Ａシステムでは、ＭＣＳ、ＰＭＩなどの選択のためのＣＳＩ測定目的のＣＳＩ−ＲＳとデータ復調のためのＤＭ−ＲＳに分離されて２つのＲＳが追加された。ＣＳＩ−ＲＳはＲＲＭ測定などの目的に使われることもできるが、ＣＳＩ獲得の主目的のためにデザインされた。ＣＳＩ−ＲＳはデータ復調に使われないので、サブフレーム毎に転送される必要はない。したがって、ＣＳＩ−ＲＳのオーバーヘッドを減らすために時間軸上で間欠的に転送するようにする。すなわち、ＣＳＩ−ＲＳは１サブフレームの整数倍の周期で周期的に転送されるか、または特定転送パターンで転送できる。この際、ＣＳＩ−ＲＳが転送される周期やパターンはｅＮＢが設定することができる。
【００９７】
ＣＳＩ−ＲＳを測定するためにＵＥは必ず自身が属したセルの各々のＣＳＩ−ＲＳアンテナポートに対するＣＳＩ−ＲＳの転送サブフレームインデックス、転送サブフレーム内のＣＳＩ−ＲＳ資源要素（ＲＥ）時間−周波数の位置、そしてＣＳＩ−ＲＳシーケンスなどに対する情報を知っていなければならない。
【００９８】
ＬＴＥ−ＡシステムにｅＮＢはＣＳＩ−ＲＳを最大８個のアンテナポートに対して各々転送しなければならない。互いに異なるアンテナポートのＣＳＩ−ＲＳ転送のために使われる資源は互いに直交（ｏｒｔｈｏｇｏｎａｌ）しなければならない。１つのｅＮＢが互いに異なるアンテナポートに対するＣＳＩ−ＲＳを転送する時、各々のアンテナポートに対するＣＳＩ−ＲＳを互いに異なるＲＥにマッピングすることによって、ＦＤＭ／ＴＤＭ方式によりこれらの資源を直交（ｏｒｔｈｏｇｏｎａｌ）させて割り当てることができる。または、互いに異なるアンテナポートに対するＣＳＩ−ＲＳを互いに直交（ｏｒｔｈｏｇｏｎａｌ）したコードにマッピングさせるＤＭ方式により転送することができる。
【００９９】
ＣＳＩ−ＲＳに関する情報をｅＮＢが自分のセルＵＥに知らせる時、まず各アンテナポートに対するＣＳＩ−ＲＳがマッピングされる時間−周波数に対する情報を知らせなければならない。具体的に、ＣＳＩ−ＲＳが転送されるサブフレーム番号、またはＣＳＩ−ＲＳが転送される周期、ＣＳＩ−ＲＳが転送されるサブフレームオフセットであり、特定アンテナのＣＳＩ−ＲＳ  ＲＥが転送されるＯＦＤＭシンボル番号、周波数間隔（ｓｐａｃｉｎｇ）、周波数軸でのＲＥのオフセット、またはシフト値などがある。
【０１００】
ＣＳＩ−ＲＳは１個、２個、４個、または８個のアンテナポートを介して転送される。この際、使われるアンテナポートは、各々ｐ＝１５、ｐ＝１５、１６、ｐ＝１５，．．．，１８、ｐ＝１５，．．．，２２である。ＣＳＩ−ＲＳはサブキャリア間隔Δｆ＝１５ｋＨｚに対してのみ定義できる。
【０１０１】
＜ＲＳ仮想化（Virtualization）＞
【０１０２】
ｍｍＷにおいてアナログビームフォーミングにより一時点で１つのアナログビーム方向にのみＰＤＳＣＨ送信が可能である。その結果、該当方向にある一部少数のＵＥにのみ基地局からデータ送信が可能となる。従って、必要によってアンテナポート別にアナログビーム方向が異なるように設定して様々なアナログビーム方向にある複数のＵＥに同時にデータ送信を行うことができる。
【０１０３】
以下では、２５６アンテナ要素を４等分して４つのサブアレイを形成し、図９に示すように、サブアレイにＴＸＲＵを接続した構造の例示を中心に説明する。
【０１０４】
図９は、ＴＸＲＵ別のサービス領域を例示した図である。
【０１０５】
各サブアレイが２次元（2-dimension）配列形態で合計６４（８×８）のアンテナ要素から構成されると、特定アナログビームフォーミングにより１５度の水平角領域と１５度の垂直角領域に該当する地域をカバーすることができる。すなわち、基地局がサービスしなければならない地域を複数の領域に分けて、一度に１つずつサービスできるようにする。以下の説明において、ＣＳＩ−ＲＳアンテナポートとＴＸＲＵは１対１（1-to-1）マッピングされたと仮定する。従って、以下ではアンテナポートとＴＸＲＵは実質的に同一の意味を有する。
【０１０６】
図９（ａ）の例示のように、全てのＴＸＲＵ（アンテナポート、サブアレイ）が同一のアナログビームフォーミング方向を有すると、より高いレゾリューション（resolution）を有するデジタルビーム（digital beam）を形成して該当地域のスループットを増加させることができる。また、該当地域に送信データのランクを増加させて該当地域のスループットを増加させることができる。
【０１０７】
図９（ｂ）に示すように、各ＴＸＲＵ（アンテナポート、サブアレイ）が異なるアナログビームフォーミング方向を有すると、より広い領域に分布したＵＥに該当サブフレーム（ＳＦ）で同時にデータ送信が可能となる。例えば、４つのアンテナポートのうち２つは領域１にあるＵＥ１へＰＤＳＣＨ送信を行うために用い、残り２つは領域２にあるＵＥ２へＰＤＳＣＨ送信を行うために用いることができる。
【０１０８】
図９（ｂ）においては、ＵＥ１に送信されるＰＤＳＣＨ１とＵＥ２に送信されるＰＤＳＣＨ２がＳＤＭ（Spatial Division Multiplexing）された例を示す。これとは異なり、図９（ｃ）においては、ＵＥ１に送信されるＰＤＳＣＨ１とＵＥ２に送信されるＰＤＳＣＨ２がＦＤＭ（Frequency Division Multiplexing）された例を示す。
【０１０９】
全てのアンテナポートを用いて一領域をサービスする方式と、アンテナポートを分けて複数の領域を同時にサービスする方式のうち、セルスループットを最大化するために、ＵＥにサービスするランク及びＭＣＳによって好まれる方式が変更できる。また、各ＵＥに送信するデータの量によって好まれる方式が変更できる。
【０１１０】
基地局は、全てのアンテナポートを用いて一領域をサービスするときに得られるセルスループット又はスケジューリングメトリックを計算し、アンテナポートを分けて二領域をサービスするときに得られるセルスループット又はスケジューリングメトリックを計算する。基地局は、各方式で得られるセルスループット又はスケジューリングメトリックを比較して最終送信方式を選択する。その結果、ＳＦ別に（SF-by-SF）にＰＤＳＣＨ送信に参加するアンテナポートの数が変動することができる。基地局がアンテナポートの数に応じるＰＤＳＣＨの送信ＭＣＳを計算してスケジューリングアルゴリズムに反映するために、これに適合するＵＥからのＣＳＩフィードバックが要求されることができる。
【０１１１】
＜ビーム参照信号（Beam reference signal：ＢＲＳ）及びビーム改良参照信号（Beam refinement reference signal：ＢＲＲＳ）＞
【０１１２】
ＢＲＳは、少なくとも１つのアンテナポートｐ＝｛０、１、…、７｝で送信されることができる。ＢＲＳシーケンス
2019528601.tif 000005
は、以下の数式１のように定義されることができる。
【０１１３】
［数式１］
【数１】
2019528601.tif 000006
【０１１４】
数式１において、
2019528601.tif 000007
＝０、１、…、１３は、ＯＦＤＭシンボルナンバーを示す。また、ｃ（ｉ）は疑似ランダム（pseudo-random）シーケンス生成器（generator）を示し、各ＯＦＤＭシンボルの開始地点で数式２により初期化されることができる。
【０１１５】
［数式２］
【数２】
2019528601.tif 000008
【０１１６】
ＢＲＲＳは、最大８つのアンテナポートｐ＝６００、…、６０７で送信することができる。ＢＲＲＳの送信及び受信は、ｘＰＤＣＣＨでのダウンリンクリソース割り当てで動的にスケジューリングされることができる。
【０１１７】
ＢＲＲＳシーケンス
2019528601.tif 000009
は、以下の数式３のように定義されることができる。  
【０１１８】
［数式３］
【数３】
2019528601.tif 000010
【０１１９】
数式３において、ｎ＿ｓは無線フレーム内のスロットナンバーを示し、ｌは前記スロット内のＯＦＤＭシンボルナンバー、ｃ（ｎ）は疑似ランダムシーケンスを示す。前記疑似ランダムシーケンス生成器は、各ＯＦＤＭシンボルの開始地点で数式４により初期化されることができる。
【０１２０】
［数式４］
【数４】
2019528601.tif 000011
【０１２１】
数式４において、
2019528601.tif 000012
は、ＲＲＣ（Radio Resource Control）シグナリングを通じてＵＥに設定される。
【０１２２】
ＢＲＳは、サブフレーム毎に送信されることができ、ポート別に相異なるアナログビーム方向に送信されることができる。このようなＢＲＳは、基地局がＵＥに対する概略的なアナログビーム方向を決定するのに用いられる。ＢＲＳに基づいてＵＥに対する概略的なアナログビーム方向が決定されると、基地局は決定されたアナログビーム方向範囲内でより精密な／細かいアナログビーム方向別にＢＲＲＳを送信してＵＥに対するより精密なアナログビーム方向を決定することができる。
【０１２３】
このように、ＵＥに対するアナログビーム方向を決定するのに用いられる参照信号に対する名称は、前述したＢＲＳ又はＢＲＲＳに限定されず、同一の機能を実行するのに使用可能な様々な参照信号で代替／参照できることは言うまでもない。例えば、ＢＲＳは、プライマリ／ファースト（primary/first）ＣＳＩ−ＲＳ、ＰＳＳ（Primary synchronization signal/sequence）、ＳＳＳ（Secondary synchronization signal/sequence）、ＳＳ（Synchronization Signal/Sequence）ｂｌｏｃｋ、ＮＲ−ＰＳＳ、及び／又はＮＲ−ＳＳＳで代替／参照されることもでき、ＢＲＲＳは、セカンダリ／セカンド（secondary/second）ＣＳＩ−ＲＳで代替／参照されることもできる。
【０１２４】
＜ダウンリンク位相ノイズ補償参照信号（DL Phase noise compensation reference signal：ＤＬ ＰＣＲＳ）＞
【０１２５】
ｘＰＤＳＣＨに連係したＰＣＲＳは、ＤＣＩフォーマットでシグナリングされるようにアンテナポートＰ＝６０又はＰ＝６１で送信されることができる。ｘＰＤＳＣＨ送信が対応するアンテナポートと連係した場合にのみＰＣＲＳが存在し、このときのＰＣＲＳは位相ノイズ補償に対する有効参照となることができる。ＰＣＲＳは、対応するｘＰＤＳＣＨがマッピングされた物理資源ブロック及びシンボルでのみ送信されることができる。ＰＣＲＳは、ｘＰＤＳＣＨ割り当てに対応する全てのシンボルで同一でありうる。
【０１２６】
アンテナポートｐ＝６０、６１のうちどのポートに対しても、ＰＣＲＳシーケンスｒ（ｍ）は数式５のように定義されることができる。  
【０１２７】
［数式５］
【数５】
2019528601.tif 000013
【０１２８】
数式５において、ｃ（ｉ）は疑似ランダムシーケンスを示す。前記疑似ランダムシーケンス生成器は、各サブフレームの開始地点で数式６により初期化されることができる。
【０１２９】
［数式６］
【数６】
2019528601.tif 000014
【０１３０】
数式６において
2019528601.tif 000015
はｉ＝０、１であるときに以下のように決定される。
【０１３１】
−もし、
2019528601.tif 000016
に対する値が上位層により提供されない場合、
2019528601.tif 000017
【０１３２】
−それ以外に、
2019528601.tif 000018
【０１３３】
ｎ＿ＳＣＩＤ値は、特別に決定されないと、０に設定されることができる。ｘＰＤＳＣＨ送信において、ｎ＿ＳＣＩＤはｘＰＤＳＣＨ送信に連係したＤＣＩフォーマットにより与えられることができる。
【０１３４】
＜アンテナポート間のＱＣＬ（quasi co-located）＞
【０１３５】
本発明においては、端末がデータ（例えば、ＰＤＳＣＨ）を受信するとき、特定ＤＭＲＳのような端末特定参照信号（UE-specific RS）に復調（demodulation）するようにする方式を考慮する。このようなＤＭＲＳは、該当ＰＤＳＣＨのスケジューリングされたＲＢ（scheduled RB(s)）に対してのみ共に送信され、スケジューリングされたＰＤＳＣＨ（scheduled PDSCH）が送信される時間区間の間にのみ送信されるので、該当ＤＭＲＳ自体でのみチャネル推定を行うのには受信性能の限界が存在する。例えば、チャネル推定を行うにおいて、無線チャネルの主要ＬＳＰ（large-scale parameter/property）の推定値が必要であり、それを前記スケジューリングされたＰＤＳＣＨが送信されるｔｉｍｅ／ｆｒｅｑ領域に存在するＤＭＲＳのみで得ることにはＤＭＲＳ密度（density）が不足することがある。従って、このような端末の実現を支援するために、ＬＴＥ−Ａ標準では次のようなＲＳポート間のＱＣＬシグナリング／仮定／動作（quasi co-location signaling/assumption/behavior）を定義し、それにより、端末を設定／動作させることのできる方式を支援している。
【０１３６】
ＱＣ／ＱＣＬ（quasi co-located又はquasi co-location）は、次のように定義されることができる。
【０１３７】
２つのアンテナポートがＱＣ／ＱＣＬ関係にある（又は、ＱＣ／ＱＣＬされた）とすると、１つのアンテナポートを介して伝達される信号の広範囲特性（large-scale property）が他の１つのアンテナポートを介して伝達される信号から暗示（infer）されることができると端末が仮定することができる。ここで、前記広範囲特性は、遅延拡散（Delay spread）、ドップラー拡散（Doppler spread）、周波数シフト（Frequency shift）、平均受信パワー（Average received power）、受信タイミング（Received Timing）のうち１つ以上を含む。
【０１３８】
また、次のように定義されることもできる。２つのアンテナポートがＱＣ／ＱＣＬ関係にある（又は、ＱＣ／ＱＣＬされた）とすると、１つのアンテナポートを介して１シンボルが伝達されるチャネルの広範囲特性（large-scale property）が他の１つのアンテナポートを介して１シンボルが伝達される無線チャネルから暗示（infer）できると、端末が仮定することができる。ここで、前記広範囲特性は、遅延拡散（delay spread）、ドップラー拡散（Doppler spread）、ドップラーシフト（Doppler shift）、平均利得（average gain）及び平均遅延（average delay）のうち１つ以上を含む。
【０１３９】
すなわち、２つのアンテナポートがＱＣ／ＱＣＬ関係にある（又は、ＱＣ／ＱＣＬされた）ということは、１つのアンテナポートからの無線チャネルの広範囲特性が他の１つのアンテナポートからの無線チャネルの広範囲特性と同一であることを意味する。ＲＳが送信される複数のアンテナポートを考慮すると、相異なる２種類のＲＳが送信されるアンテナポートがＱＣＬ関係にあれば、１種類のアンテナポートからの無線チャネルの広範囲特性を他の１種類のアンテナポートからの無線チャネルの広範囲特性に代替することができる。
【０１４０】
本明細書においては上記ＱＣ／ＱＣＬ関連定義を区分しない。すなわち、ＱＣ／ＱＣＬ概念は、上記定義の１つに従うことができる。あるいは、類似した他の形態で、ＱＣ／ＱＣＬ仮定が成立するアンテナポート間にはまるで同一位置（co-location）から送信するかのように仮定できるという形態（例えば、同一送信ポイント(transmission point)から送信するアンテナポートであると端末が仮定できることなど）にＱＣ／ＱＣＬ概念定義が変形されることもでき、本発明の思想は、このような類似変形例を含む。本発明においては、説明の便宜上、上記ＱＣ／ＱＣＬ関連定義を混用する。
【０１４１】
前記ＱＣ／ＱＣＬの概念によって、端末は非ＱＣ／ＱＣＬ（Non-QC/QCL）アンテナポートに対しては該当アンテナポートからの無線チャネル間に同一の前記広範囲特性を仮定することができない。すなわち、この場合、端末はタイミング取得及びトラッキング（tracking）、周波数オフセット推定及び補償、遅延推定及びドップラー推定などに対してそれぞれの設定された非ＱＣ／ＱＣＬアンテナポート別に独立的なプロセシングを行わなければならない。
【０１４２】
ＱＣ／ＱＣＬを仮定できるアンテナポート間に対して、端末は次のような動作を行うことができるという利点がある：
【０１４３】
−遅延拡散及びドップラー拡散に対して、端末はある１つのアンテナポートからの無線チャネルに対する電力遅延プロファイル（power-delay profile）、遅延拡散及びドップラースペクトル（Doppler spectrum）、ドップラー拡散推定結果を、他のアンテナポートからの無線チャネルに対するチャネル推定時に用いられるウィナーフィルタ（Wiener filter）などに同一に適用することができる。
【０１４４】
−周波数シフト及び受信されたタイミングに対して、端末はある１つのアンテナポートに対する時間及び周波数同期化を行った後、同一の同期化を他のアンテナポートの復調に適用することができる。
【０１４５】
−平均受信電力に対して、端末は２つ以上のアンテナポートに対してＲＳＲＰ（Reference Signal Received Power）測定を平均することができる。
【０１４６】
例えば、端末がダウンリンクデータチャネルを復調するためのＤＭＲＳアンテナポートがサービングセルのＣＲＳアンテナポートとＱＣ／ＱＣＬされた場合、端末は、該当ＤＭＲＳアンテナポートを通じたチャネル推定時に自分のＣＲＳアンテナポートから推定した無線チャネルの広範囲特性（large-scale properties）を同一に適用してＤＭＲＳベースダウンリンクデータチャネルの受信性能を向上させることができる。
【０１４７】
その理由は、ＣＲＳはサブフレーム毎にそして全体帯域にわたって相対的に高い密度（density）でブロードキャストされる参照信号であるので、広範囲特性に関する推定値はＣＲＳからより安定的に取得が可能であるためである。それに対して、ＤＭＲＳは、特定スケジューリングされたＲＢに対しては端末特定に送信され、また、 ＰＲＧ（precoding resource block group）単位の場合、基地局により送信に用いられるプリコーディング行列（precoding matrix）が変化することがあり、これにより、端末に受信される有効チャネルはＰＲＧ単位で変化するので、複数のＰＲＧがスケジューリングされる場合であっても広い帯域にわたってＤＭＲＳを無線チャネルの広範囲特性推定用として使用するとき、性能劣化が発生することがある。さらに、ＣＳＩ−ＲＳもその送信周期が数〜数十ｍｓになり、資源ブロック当たり平均的にアンテナポート当たり１資源要素の低い密度を有するので、ＣＳＩ−ＲＳも同様に無線チャネルの広範囲特性推定用として用いる場合、性能劣化が発生する可能性がある。
【０１４８】
すなわち、アンテナポート間のＱＣ／ＱＣＬ仮定を行うことにより端末はダウンリンク参照信号の検出／受信、チャネル推定、チャネル状態報告などに活用することができる。
【０１４９】
一方、端末は、サービングセルのアンテナポート０〜３とＰＳＳ／ＳＳＳのためのアンテナポートはドップラーシフト及び平均遅延に対してＱＣＬ関係を有すると仮定することができる。
【０１５０】
＜ＰＤＳＣＨ資源マッピングパラメータ＞
【０１５１】
与えられたサービングセルに対する送信モード１０が設定されたＵＥは、ＵＥ及び与えられたサービングセル用のＤＣＩフォーマット２Ｄを有する検出されたＰＤＣＣＨ／ＥＰＤＣＣＨによってＰＤＳＣＨをデコーディングするために上位層シグナリングによりパラメータセットの設定を４つまで受けることができる。
【０１５２】
もし、ＵＥがタイプＢのＱＣＬタイプの設定を受ける場合、ＰＤＳＣＨ ＲＥマッピング及びＰＤＳＣＨアンテナポートＱＣＬを決定するために、ＤＣＩフォーマット２Ｄを有する検出されたＰＤＣＣＨ／ＥＰＤＣＣＨにおいて以下の表３に示す「ＰＤＳＣＨ ＲＥマッピング及びＱｕａｓｉ−Ｃｏ−Ｌｏｃａｔｉｏｎインジケータ」フィールド値によって設定されたパラメータを用いることができる。対応するＰＤＣＣＨ／ＥＰＤＣＣＨがないＰＤＳＣＨの場合、ＰＤＳＣＨ ＲＥマッピング及びＰＤＳＣＨアンテナポートＱＣＬを決定するために関連したＳＰＳ活性化に対応するＤＣＩフォーマット２Ｄを有するＰＤＣＣＨ／ＥＰＤＣＣＨで指示されたパラメータセットを用いることができる。
【０１５３】
【表３】
2019528601.tif 000019
【０１５４】
ＰＤＳＣＨ ＲＥマッピング及びＰＤＳＣＨアンテナポートＱＣＬを決定するための次のパラメータは、各パラメータセットに対する上位層シグナリングを通じて設定される：
【０１５５】
−ｃｒｓ−ＰｏｒｔｓＣｏｕｎｔ−ｒ１１。
【０１５６】
−ｃｒｓ−ＦｒｅｑＳｈｉｆｔ−ｒ１１。
【０１５７】
−ｍｂｓｆｎ−ＳｕｂｆｒａｍｅＣｏｎｆｉｇＬｉｓｔ−ｒ１１。
【０１５８】
−ＣＳＩ−ＲＳ−ＣｏｎｆｉｇＺＰＩｄ−ｒ１１。
【０１５９】
−ｐｄｓｃｈ−Ｓｔａｒｔ−ｒ１１。
【０１６０】
−ｑｃｌ−ＣＳＩ−ＲＳ−ＣｏｎｆｉｇＮＺＰＩｄ−ｒ１１。
【０１６１】
−ｚｅｒｏＴｘＰｏｗｅｒＣＳＩ−ＲＳ２−ｒ１２（ＵＥにＴＤＤサービングセルに対する上位層パラメータＣＳＩ−Ｒｅｐｏｒｔｉｎｇ−Ｔｙｐｅが設定された場合）。
【０１６２】
ＵＥ及び与えられたサービングセル用として意図されたＣ−ＲＮＴＩでスクランブリングされたＣＲＣを有するＤＣＩフォーマット１Ａを有する検出されたＰＤＣＣＨ／ＥＰＤＣＣＨによってＰＤＳＣＨをデコーディングし、アンテナポート７でのＰＤＳＣＨ送信のために、ＵＥがタイプＢのＱＣＬタイプの設定を受ける場合、ＰＤＳＣＨ ＲＥマッピング及びＰＤＳＣＨアンテナポートＱＣＬを決定するために、与えられたサービングセルのための送信モード１０が設定されたＵＥは、表３のパラメータセット１を用いなければならない。
【０１６３】
ＤＣＩフォーマット１Ａを有するＰＤＣＣＨ／ＥＰＤＣＣＨで指示されたＳＰＳ活性化に関連した対応するＰＤＣＣＨ／ＥＰＤＣＣＨ無しにＳＰＳ Ｃ−ＲＮＴＩ及びＰＤＳＣＨでスクランブリングされたＣＲＣを有するＤＣＩフォーマット１Ａを有する検出されたＰＤＣＣＨ／ＥＰＤＣＣＨに対応するＰＤＳＣＨをデコーディングするために、与えられたサービングセルに対して送信モード１０が設定されたＵＥは、ＰＤＳＣＨ ＲＥマッピング及びＰＤＳＣＨアンテナポートＱＣＬを決定するために、表３のパラメータセット１を用いなければならない。
【０１６４】
与えられたサービングセルにおいてＵＥのためのＤＣＩフォーマット１Ａを有する検出されたＰＤＣＣＨ／ＥＰＤＣＣＨによってＰＤＳＣＨをデコーディングし、アンテナポート０〜３でのＰＤＳＣＨ送信のために、与えられたサービングセルに対して送信モード１０が設定されたＵＥは、最も低い値でインデックスされた（the lower indexed）ｚｅｒｏ−ｐｏｗｅｒ ＣＳＩ−ＲＳを用いてＰＤＳＣＨ ＲＥマッピングを決定しなければならない。
【０１６５】
＜ＰＤＳＣＨのためのアンテナポートＱＣＬ＞
【０１６６】
サービングセルのための送信モード８〜１０が設定されたＵＥは、サービングセルのアンテナポート７〜１４は与えられたサブフレームの遅延拡散、ドップラー拡散、ドップラーシフト、平均利得及び平均遅延に対してＱＣＬされたと仮定する。
【０１６７】
また、サービングセルのための送信モード１〜９が設定されたＵＥは、サービングセルのアンテナポート０〜３、５及び７〜３０が与えられたサブフレームの遅延拡散、ドップラー拡散、ドップラーシフト、平均利得及び平均遅延に対してＱＣＬされたと仮定する。
【０１６８】
サービングセルのための送信モード１０が設定されたＵＥは、アンテナポート７〜１４に関連した送信方式によってＰＤＳＣＨをデコーディングするために、上位層パラメータｑｃｌ−Ｏｐｅｒａｔｉｏｎによりサービングセルに対して次のような２つのＱＣＬタイプのうち１つから構成される。
【０１６９】
−タイプＡ：ＵＥにおいて、サービングセルのアンテナポート０〜３、７〜３０が 遅延拡散、ドップラー拡散、ドップラーシフト及び平均遅延に対してＱＣＬされる。
【０１７０】
−タイプＢ：ＵＥにおいて、上位層パラメータｑｃｌ−ＣＳＩ−ＲＳ−ＣｏｎｆｉｇＮＺＰＩｄ−ｒ１１により識別されるＣＳＩ−ＲＳ資源構成に該当するアンテナポート１５〜３０とＰＤＳＣＨに関連したアンテナポート７〜１４はドップラーシフト、ドップラー拡散、平均遅延、及び遅延拡散に対してＱＣＬされる。
【０１７１】
ＬＡＡ（Licensed-Assisted Access）Ｓｃｅｌｌの場合、ＵＥはＱＣＬタイプＢが設定されることを期待しない。
【０１７２】
＜ＣＳＩ（Channel-State Information）−ＲＳ（Reference Signal）定義＞
【０１７３】
送信モード９が設定されたが、上位層パラメータｅＭＩＭＯ−ｔｙｐｅが設定されていないサービングセル及びＵＥに対して、ＵＥは１つのＣＳＩ−ＲＳ資源構成の設定を受けることができる。
【０１７４】
また、サービングセル及びＵＥに対して送信モード９及び上位層パラメータｅＭＩＭＯ−ｔｙｐｅが設定され、ｅＭＩＭＯ−ｔｙｐｅがクラス（ＣＡＬＳＳ）Ａに設定された場合、ＵＥは１つのＣＳＩ−ＲＳ資源構成の設定を受けることができる。
【０１７５】
さらに、サービングセル及びＵＥに対して送信モード９及び上位層パラメータｅＭＩＭＯ−ｔｙｐｅが設定され、ｅＭＩＭＯ−ｔｙｐｅがＣＡＬＳＳ Ｂに設定された場合、ＵＥは１つ以上のＣＳＩ−ＲＳ資源構成の設定を受けることができる。
【０１７６】
送信モード１０が設定されたサービングセル及びＵＥに対して、ＵＥは１つ以上のＣＳＩ−ＲＳ資源構成の設定を受けることができる。ＣＳＩ−ＲＳに対してｎｏｎ−ｚｅｒｏ送信電力を仮定しなければならないＵＥのための以下のパラメータは、それぞれのＣＳＩ−ＲＳ資源構成に対する上位層シグナリングを通じて設定される：
【０１７７】
−ＣＳＩ−ＲＳ資源構成識別子（ＵＥに送信モード１０が設定された場合）
【０１７８】
−ＣＳＩ−ＲＳポートの数
【０１７９】
−ＣＳＩ−ＲＳ構成
【０１８０】
−ＣＳＩ−ＲＳサブフレーム構成Ｉ＿（ＣＳＩ−ＲＳ）
【０１８１】
−ＣＳＩフィードバック（Ｐ＿ｃ）のための基準ＰＤＳＣＨ送信電力に対するＵＥの仮定（ＵＥに送信モード９が設定された場合）
【０１８２】
−ＵＥに送信モード１０が設定されると、それぞれのＣＳＩプロセスに対するＣＳＩフィードバック（Ｐ＿ｃ）のための基準ＰＤＳＣＨ送信電力に対するＵＥ仮定。ＣＳＩサブフレームセットＣ＿（ＣＳＩ，０）及びＣ＿（ＣＳＩ，１）がＣＳＩプロセスのための上位層により設定されると、ＣＳＩプロセスの各ＣＳＩサブフレームセットのためのＰ＿ｃが設定される。
【０１８３】
−擬似ランダム（Pseudo-random）シーケンス生成器パラメータ（ｎ＿ＩＤ）。
【０１８４】
−ＵＥが上位層パラメータＣＳＩ−Ｒｅｐｏｒｔｉｎｇ−Ｔｙｐｅの設定を受け、ＣＳＩ報告タイプがＣＳＩプロセスに対する「クラスＡ」に設定された場合、ＣＤＭタイプパラメータ。
【０１８５】
−ＵＥに送信モード１０が設定された場合、以下のパラメータを有するＣＲＳアンテナポート及びＣＳＩ−ＲＳアンテナポートのＱＣＬタイプＢのＵＥ仮定に対する上位層パラメータｑｃｌ−ＣＲＳ−ｉｎｆｏ−ｒ１１：
【０１８６】
− ｑｃｌ−ＳｃｒａｍｂｌｉｎｇＩｄｅｎｔｉｔｙ−ｒ１１
【０１８７】
− ｃｒｓ−ＰｏｒｔｓＣｏｕｎｔ−ｒ１１
【０１８８】
− ｍｂｓｆｎ−ＳｕｂｆｒａｍｅＣｏｎｆｉｇＬｉｓｔ−ｒ１１
【０１８９】
Ｐ＿ｃは、ＵＥがＣＳＩフィードバックを導出して１ｄＢ段階サイズで［−８、１５］ｄＢの範囲内の値を取るとき、ＣＳＩ−ＲＳ ＥＰＲＥ（Energy Per Resource Element）に対するＰＤＳＣＨ ＥＰＲＥの推定された比率であり、ここで、ＰＤＳＣＨ ＥＰＲＥはセル関連ＲＳ ＥＰＲＥに対するＰＤＳＣＨ ＥＰＲＥの比率に対するシンボル数に対応する。
【０１９０】
ＵＥは、サービングセルの同一のサブフレームにおいてＣＳＩ−ＲＳ及びＰＭＣＨの構成を期待しない。
【０１９１】
フレーム構造タイプ２サービングセルと４つのＣＲＳポートの場合、ＵＥは、一般ＣＰの場合、［２０ −３１］セット、又は拡張ＣＰの場合、［１６ −２７］セットに属するＣＳＩ−ＲＳ構成インデックスを受信することを期待しない。
【０１９２】
ＵＥは、ＣＳＩ−ＲＳ資源構成のＣＳＩ−ＲＳアンテナポート間には遅延拡散、ドップラー拡散、ドップラーシフト、平均利得及び平均遅延に対してＱＣＬされると仮定することができる。
【０１９３】
送信モード１０及びＱＣＬタイプＢが設定されたＵＥは、ＣＳＩ−ＲＳ資源構成に対応するｑｃｌ−ＣＲＳ−Ｉｎｆｏ−ｒ１１と連係したアンテナポート０〜３を仮定することができ、ＣＳＩ−ＲＳ資源構成に対応するアンテナポート１５〜３０はドップラーシフト及びドップラー拡散に対してＱＣＬされたと仮定することができる。
【０１９４】
ＵＥに送信モード１０及び上位層パラメータｅＭＩＭＯ−ｔｙｐｅが設定され、前記ｅＭＩＭＯ ｔｙｐｅがクラスＢに設定され、１つのＣＳＩ手順のために設定されたＣＳＩ−ＲＳ資源の数が複数であり、ＱＣＬタイプＢが設定された場合、ＵＥは、上位層パラメータｑｃｌ−ＣＲＳ−Ｉｎｆｏ−ｒ１１と相異なる値を有するＣＳＩプロセスに対するＣＳＩ−ＲＳ資源構成を受信することを期待しない。
【０１９５】
ＣＥＭｏｄｅＡ又はＣＥＭｏｄｅＢが設定されたＢＬ／ＣＥ ＵＥは、ｎｏｎ−ｚｅｒｏ送信電力ＣＳＩ−ＲＳが設定されることを期待しない。
【０１９６】
＜ＣＳＩ報告方法＞
【０１９７】
ＦＤ（Full Dimension）−ＭＩＭＯ（又は、大規模（massive）−ＭＩＭＯ、進歩した（enhanced）−ＭＩＭＯ、大規模アンテナシステム（Large-Scale Antenna System）、非常に大きい（Very Large）ＭＩＭＯ、ハイパー（Hyper）−ＭＩＭＯなどに称されることができる）が導入されることにより、基地局はＮ（Ｎ＞＞１）アンテナポート（又は、特定ポート対要素(port-to-element)仮想化(virtualization)によって「要素（element）」が該当されることもでき、以下では説明の便宜上、「ポート（port）」と称する）を用いてＤ−ビームフォーミングなどを行うことによりシステムのスループット（throughput）を向上させることができる。
【０１９８】
現在、３ＧＰＰ Ｒｅｌ−１３ではクラスＡと定義されるプリコーディングされない方式（non-precoded scheme）のＣＳＩ−ＲＳ動作（又は、ＣＳＩ報告動作）（各ＣＳＩプロセスが１つのＣＳＩ−ＲＳ資源と１つのＣＳＩ−ＩＭ資源に関連することができる）と、Ｃｌａｓｓ Ｂと定義されるビームフォーミングされた方式（beamformed scheme）のＣＳＩ−ＲＳ動作（又は、ＣＳＩ報告動作）（各ＣＳＩプロセスは１つ又はそれ以上のＣＳＩ−ＲＳ資源と１つ又はそれ以上のＣＳＩ−ＩＭ資源に関連することができる）を定義する。
【０１９９】
クラスＡの場合、ＦＤ ＭＩＭＯシステムにおいて基地局は１つのＣＳＩ手順内で複数のＣＳＩ−ＲＳ資源をＵＥに設定（configure）することができる。ＵＥは、１つのＣＳＩ手順内で設定されたＣＳＩ−ＲＳ資源それぞれを独立チャネルとみなさなく併合して１つの大きいＣＳＩ−ＲＳ資源と仮定し、該当資源からＣＳＩを計算／取得して基地局にフィードバックする。例えば、１つのＣＳＩ手順内で基地局がＵＥに３つの４−ｐｏｒｔ ＣＳＩ−ＲＳ資源を設定した場合、ＵＥは設定された３つの４−ｐｏｒｔ ＣＳＩ−ＲＳ資源を併合して１つの１２−ｐｏｒｔ ＣＳＩ−ＲＳ資源と仮定する。ＵＥは、該当資源から１２−ｐｏｒｔ ＰＭＩを用いてＣＳＩを計算／取得して基地局にフィードバックする。
【０２００】
クラスＢの場合も、ＦＤ ＭＩＭＯシステムにおいて基地局はＵＥに１つのＣＳＩ手順内で複数のＣＳＩ−ＲＳ資源を設定することができる。例えば、１つのＣＳＩ手順内で基地局はＵＥに８つの４−ｐｏｒｔ ＣＳＩ−ＲＳ資源を設定することができる。８つの４−ｐｏｒｔ ＣＳＩ−ＲＳそれぞれに相異なる仮想化（virtualization）が適用されることにより相異なるビームフォーミングが適用されることができる。例えば、１番目のＣＳＩ−ＲＳに１００度の天頂角（zenith angle）で垂直ビームフォーミング（vertical beamforming）が適用された場合を仮定すると、５度の天頂角の差をおいて２番目〜８番目のＣＳＩ−ＲＳに垂直ビームフォーミングが適用されることができ、その結果、８番目に該当するＣＳＩ−ＲＳには１３５度の天頂角で垂直ビームフォーミングが適用されていることができる。
【０２０１】
この場合、ＵＥは、設定されたＣＳＩ−ＲＳ資源それぞれを独立的なチャネルと仮定し、設定されたＣＳＩ−ＲＳ資源のうち１つを選択し、選択した資源を基準にＣＳＩを計算／取得して基地局にフィードバック／報告する。すなわち、ＵＥは、設定された８つの４−ｐｏｒｔ ＣＳＩ−ＲＳ資源のうちチャネルが強靱である（robust）ＣＳＩ−ＲＳ資源を選択し、選択したＣＳＩ−ＲＳ資源を基準にＣＳＩを計算して基地局に報告することができる。この場合、ＵＥは、選択したＣＳＩ−ＲＳ資源をＣＲＩ（ＣＳＩ−ＲＳ Resource Index）値により基地局に報告することができる。例えば、１番目のＣＳＩ−ＲＳ資源チャネルが最も強靱である場合、ＵＥはＣＲＩ値を「０」に設定して基地局に報告することができる。
【０２０２】
前述した特徴を効果的に表すためにクラスＢ ＣＳＩ手順において、次のような変数を定義することができる。Ｋは、ＣＳＩプロセス内に存在するＣＳＩ−ＲＳ資源の数、Ｎｋはｋ番目のＣＳＩ−ＲＳ資源のＣＳＩ−ＲＳポート数を意味することができる。例えば、ＵＥが８つの４−ｐｏｒｔ ＣＳＩ−ＲＳ資源の設定を受けた場合、Ｋは８であり、Ｎｋはｋ値に関係なく４である。
【０２０３】
現在、Ｒｅｌ−１３において、ＣＲＩは特定ＣＳＩ−ＲＳ資源のみを指示するが、今後ＣＲＩは特定ＣＳＩ−ＲＳに特定ポート組み合わせを指示することによりさらに具体化することができる。例えば、ＣＲＩはＣＳＩ手順内８つのＣＳＩ−ＲＳ資源のうち選択された１つのＣＳＩ−ＲＳ資源を指示し、追加的に選択された１つのＣＳＩ−ＲＳ資源が１５、１６番ポートの組み合わせで構成されたことを指示することによりさらに具体化することができる。ここで、ＣＲＩは、各ＣＳＩ−ＲＳ資源別に１５及び１６番ポートの組み合わせ又は１７及び１８番ポートの組み合わせを指示することができるとしたら、ＣＲＩは１６個（＝２＾４）値のうちいずれか１つの値に設定されることができる。
【０２０４】
すなわち、ＣＲＩ＝０に設定される場合、１番目のＣＳＩ−ＲＳ資源の１５及び１６番ポートの組み合わせを指示し、ＣＲＩ＝１に設定される場合、１番目のＣＳＩ−ＲＳ資源の１７及び１８番ポートの組み合わせを指示し、ＣＲＩ＝２に設定される場合、２番目のＣＳＩ−ＲＳ資源の１５及び１６番ポートの組み合わせを指示し、ＣＲＩ＝３に設定される場合、２番目のＣＳＩ−ＲＳ資源の１７及び１８番ポートの組み合わせを指示する方式でＣＲＩ値の昇順によって各ＣＳＩ−ＲＳ別のポート組み合わせを指示することができ、最終的にＣＲＩ＝１５に設定される場合、最後の８番目のＣＳＩ−ＲＳ資源の１７及び１８番ポートの組み合わせを指示する。
【０２０５】
クラスＡの場合、端末がＮ個のアンテナポートを測定し、これを用いてＮ−ｐｏｒｔプリコーダ（precoder）を選択してそれに関連したＣＳＩ（ＰＭＩ、ＣＱＩ、ＲＩなど）を基地局に報告する。しかしながら、Ｎが増加するにつれて、端末のチャネル測定のためのＣＳＩ−ＲＳも増加しなければならず、これに関連したコードブックサイズも増加して、結果的に、フィードバックオーバーヘッド（feedback overhead）も増加する。
【０２０６】
それに対して、クラスＢの場合、ＣＳＩ−ＲＳポート数は基地局のアンテナポート数よりは端末の最大ランク（rank）に関連しており、基地局のアンテナポート数が増加してもＣＳＩ−ＲＳは大きく増加することなく用いることができるという利点がある。ただ、基地局においてビーム選択（selection）を実施しなければならないので、端末の移動性（mobility）が高い環境と基地局のビームが狭い（narrow）環境ではビームフォーミングの強靱性が低下する可能性があるという欠点がある。
【０２０７】
このような２つの技法の欠点を補完して利点を最大化するために、クラスＡとＢを組み合わせて用いるハイブリッド（hybrid）ＣＳＩ−ＲＳベース技法（scheme）（又は、ＣＳＩ報告技法）が考慮されることができる。
【０２０８】
＜物理チャネルとの独立的な仮定（Assumptions independent of physical channel）＞
【０２０９】
ＵＥは、特別に明示されない限り、２つのアンテナポートがＱＣＬされると仮定してはならない。
【０２１０】
ＵＥは、サービングセルのアンテナポート０〜３が遅延拡散、ドップラー拡散、ドップラーシフト、平均利得及び平均遅延に対してＱＣＬされていると仮定することができる。
【０２１１】
ディスカバリ信号ベース測定目的の場合、ＵＥは、ディスカバリ信号以外の他の信号又は物理チャネルがあると仮定してはならない。
【０２１２】
ＵＥがｄｉｓｃｏｖｅｒｙＳｉｇｎａｌｓＩｎＤｅａｃｔＳＣｅｌｌ−ｒ１２を支援し、ＵＥに同一のキャリア周波数上でセカンダリセルに適用できるキャリア周波数に対するディスカバリ信号ベースＲＲＭ測定が設定されており、セカンダリセルが非活性化しており、ＵＥが上位層によりセカンダリセルでＭＢＭＳを受信すると設定されていない場合、ＵＥは、（ディスカバリ信号送信を除く）ＰＳＳ、ＳＳＳ、ＰＢＣＨ（Physical Broadcast Channel）、ＣＲＳ、ＰＣＦＩＣＨ、ＰＤＳＣＨ、ＰＤＣＣＨ、ＥＰＤＣＣＨ、ＰＨＩＣＨ、ＤＭＲＳ及びＣＳＩ−ＲＳがセカンダリセルに対して活性化命令が受信されたサブフレームまではセカンダリセルにより送信されないと仮定する。
【０２１３】
＜新しいＲＡＴのためのＱＣＬ仮定及びシグナリング方法＞
【０２１４】
ＱＣＬ動作を行う端末において、ＱＣＬタイプＢに設定された場合、スケジューリングされたＰＤＳＣＨと共に送信されるＤＭＲＳのチャネル推定協力を受けるためにスケジューリングＤＣＩで指示する特定ＱＣＬされた（QCLed）ＣＳＩ−ＲＳ資源から推定されたＬＳＰを用いることができる。しかしながら、本発明において考慮するＮｅｗ ＲＡＴ（ＮＲ）環境では、ＣＳＩ−ＲＳの送信自体が従来の周期的な形態を脱して必要な時だけ送信するという観点からの非周期的（aperiodic）ＣＳＩ−ＲＳ送信方式が考慮されているので、ＱＣＬ仮定のためのＣＳＩ−ＲＳとして活用されるＲＳ密度が既存のシステムに比べて著しく不足になる可能性があるという問題がある。従って、以下では、このようなＮＲ環境における非周期的ＣＳＩ−ＲＳ送信方式などを考慮した多様なＱＣＬ動作実施形態に対して提案する。提案の前に、ＮＲ環境で定義できるＱＣＬパラメータについて説明する。ただ、以下のＱＣＬパラメータはＮＲ環境に限定されるものではなく、多様な無線通信システムに適用できることは言うまでもない。
【０２１５】
１．ＱＣＬパラメータ
【０２１６】
（ＮＲ環境において）考慮されるＱＣＬパラメータとして次のうち少なくとも１つが定義／設定される：
【０２１７】
−遅延拡散（Delay spread）
【０２１８】
−ドップラー拡散（Doppler spread）
【０２１９】
−ドップラーシフト（Doppler shift）
【０２２０】
−平均利得（Average gain）
【０２２１】
−平均遅延（Average delay）
【０２２２】
−平均角（Average angle：ＡＡ）
【０２２３】
−角度拡散（Angular spread：ＡＳ）
【０２２４】
ＮＲ環境においてはアナログビームフォーミングがＵＥ側で適用されるとき、到着角 （arrival angle）に対する新しいタイプのＱＣＬ特性を考慮する必要があるので、ＡＡ及びＡＳのような受信ビーム関連パラメータが新しいタイプのＱＣＬパラメータとして定義されることができる。
【０２２５】
ＡＡ観点から、ＱＣＬが保証／仮定されるアンテナポート間には受信ビーム方向（及び／又は、受信ビーム幅／スイーピング程度）に対するＱＣＬ仮定が可能である。例えば、端末は、特定アンテナポートから推定されるＡＡと同一であるか、又は（これと関連して）類似するように他のアンテナポートからの送信信号の受信ビーム方向（及び／又は、受信ビーム幅／スイーピング程度）などを設定して送信信号の受信が可能であることを意味することができる。このようにＵＥが動作したとき、受信性能が特定レベル以上に保証されることができる。このようなＡＡは、例えば、「（Ａｌｍｏｓｔ） Ｄｏｍｉｎａｎｔ ａｒｒｉｖａｌ ａｎｇｌｅ」などの名称に代替されることができる。
【０２２６】
つまり、ＡＡ観点からＱＣＬ仮定されるということは、特定アンテナポートから測定される信号の特定ｄｏｍｉｎａｎｔ （ａｒｒｉｖａｌ） ａｎｇｌｅ 「Ｓ」が存在すると仮定すると、これとＱＣＬ仮定される（又は、ＱＣＬ関係を有する）他のアンテナポートから測定される信号の特定ｄｏｍｉｎａｎｔ （ａｒｒｉｖａｌ） ａｎｇｌｅは、前記Ｓと「ほぼ（almost）」同一／類似するという意味に解釈することができる。すなわち、ＱＣＬ仮定が可能な受信機は、特定指示されたＱＣＬされた（QCLed）ＲＳ／ＳＳから推定されたＡＡを「ほぼ（almost）」そのまま該当ＲＳ／ＳＳとＱＣＬ関係を有する他のＱＣＬされた（QCLed）ＲＳ／ＳＳの受信処理に活用／適用可能となり、その結果、効率的な受信機の実現／動作が可能であるという利点が存在する。
【０２２７】
ＡＳ観点から、２つのアンテナポート間にＱＣＬ仮定されることは、特定ポートのＡＳは、該当ポートとＱＣＬされた他のポートから推定されたＡＳから誘導／推定／適用できることを意味する。
【０２２８】
ＡＳは、アジマスＡＳ（Azimuth AS）及びゼニスＡＳ（Zenith AS）に区分されることができ、この場合は、区分される次元（dimension）別に、別々に又は共に定義されることもできる。そして／または、ＡＳは、出発ＡＳ（departure AS） 及び到着ＡＳ（arrival AS）に区分されることができ、区分されるＡＳ別に、別々に又は共に定義されることもできる。
【０２２９】
ＡＳ観点から、ＱＣＬが保証／仮定されるアンテナポート間には受信ビーム幅／スイーピング程度（及び／又は、受信ビーム方向）に対するＱＣＬ仮定が可能である。例えば、端末は、特定アンテナポートから推定されるＡＳと同一であるか、又は（これと関連して）類似するように他のアンテナポートからの送信信号の受信ビーム幅／スイーピング程度（及び／又は、受信ビーム方向）などを設定して送信信号の受信が可能であることを意味することができる。このように、ＵＥが動作したときに受信性能が特定レベル以上に保証されることができる。
【０２３０】
ＡＡ及びＡＳに関連して、上記内容をまとめると、ＡＡは平均的な、（最も）有効な／ドミナント（dominant）ビーム／空間方向／角度関連パラメータと解析されることができ、ＡＳは（前記ＡＡを中心／基準に）反射体分布などによりビーム方向がどのくらい広がっているかに関するビーム／空間／角度スペクトル／範囲関連パラメータと解析されることができる。
【０２３１】
このようなＡＡ及びＡＳは、結局、受信ビーム／空間／角度運用（management）機能のためのＱＣＬ仮定に用いられるパラメータであるので、例えば、受信ビームパラメータ、受信ビーム関連パラメータ、受信角度パラメータ、受信角度関連パラメータ、受信空間パラメータ、又は空間受信（Spatial Rx）パラメータなどと称することができる。以下では、説明の便宜上、ＡＡ及びＡＳを「受信ビーム関連パラメータ」と称する。
【０２３２】
受信ビーム関連パラメータとしては、前述したＡＡ及び／又はＡＳと同一／類似した性質のＡｏＡ（Angle of Arrival）、ドミナントＡｏＡ（Dominant AoA）、平均ＡｏＡ（average AoA）、ＰＡＳ（Power Angular Spectrum ）ｏｆ ＡｏＡ、 ＡｏＤ（average Angle of Departure）、ＰＡＳ ｏｆ ＡｏＤ, 送信／受信チャネル相関（transmit/receive channel correlation）、送信／受信ビームフォーミング（transmit/receive beamforming）、空間チャネル相関（spatial channel correlation）などが定義される。
【０２３３】
２．Ｉｎｔｅｒ／Ｉｎｔｒａ−ＲＳ／ＳＳ  ＱＣＬ関係
【０２３４】
（ＮＲ環境において）前述したＱＣＬパラメータ／特性（property）の少なくとも１つが、以下の特定ＲＳ／ＳＳ間（例えば、後述するＲＳ／ＳＳのうち相異なる種類のＲＳ／ＳＳ間又は同一種類のＲＳ／ＳＳ間）に定義／設定されて端末動作に用いられるように支援することができる。
【０２３５】
−ＰＳＳ及び／又はＳＳＳ（「ＳＳ(synchronization sequence/signal)ブロック」と称することができる。）
【０２３６】
−ＢＲＳ
【０２３７】
−ＢＲＲＳ
【０２３８】
−ＣＳＩ−ＲＳ
【０２３９】
−ＰＣＲＳ（Phase noise Compensation Reference Signal）
【０２４０】
−ＤＭＲＳ
【０２４１】
３．ＢＲＲＳ（Beam Refinement Reference Signal） ＱＣＬ
【０２４２】
ＢＲＲＳベースビーム改良（beam refinement）動作において、ＢＲＲＳ自体に対するチャネル推定などのために（ＮＲでのＢＲＲＳ送信が非周期的特性を有することができることを考慮するとき）ＲＳ密度（density）がさらに高いＢＲＳなどから特定ＱＣＬパラメータ／特性（例えば、｛ドップラー拡散及びドップラーシフト｝）に対するＱＣＬ仮定が可能となるように支援される必要がある。
【０２４３】
このようにＢＲＲＳとＱＣＬされた（QCLed）ＲＳ／ＳＳは、該当ＢＲＲＳのＲＲＣ設定時に共に提供されることができ、これはＢＲＲＳのための半静的ＱＣＬ設定（semi-static QCL configuration for BRRS）が支援されるとみなすことができる。または、より動的なＱＣＬ設定を提供するためにＭＡＣ（medium access control） ＣＥ（control element）（及び／又は、ＤＣＩ）などによるＬ２レベル（及び／又は、Ｌ１レベル）のＱＣＬ設定が各ＢＲＲＳに対して設定／提供されることもできる。例えば、ｆｕｌｌ ｆｌｅｘｉｂｉｌｉｔｙを有してＬ２レベル（及び／又は、Ｌ１レベル）で全てのＱＣＬ設定情報が端末に（リアルタイムで）提供されるか、ＲＲＣ設定により複数の候補（candidate）ＱＣＬ設定パラメータセットを設定し、このうちいずれを選択／適用／使用するかはＬ２レベル（及び／又は、Ｌ１レベル）シグナリングを通じて端末が指示を受ける形態で支援されることもできる。
【０２４４】
ＱＣＬ設定指示／シグナリングをより階層化した例として、基地局は、ＲＲＣ設定により複数の候補ＱＣＬ設定パラメータセットを端末に設定しておき、このうち２＾Ｍ（Ｍ＞＝１）個のパラメータセットをＭＡＣ ＣＥなどのＬ２レベルシグナリングを通じて一次的にフィルタリングした後、１次でフィルタリングしたパラメータセットのうちどのパラメータセットを最終的に選択／適用／使用するかをＮ−ｂｉｔフィールドの特定ＤＣＩなどによるＬ１レベルシグナリングを通じて端末に指示する方式も適用することができる。すなわち、ＱＣＬ設定が階層化して（例えば、合計３次にわたって）（又は、複数回にわたって）端末に指示／提供されることができ、一次的にはＲＲＣ設定により、二次的にはＬ２レベルのシグナリング（例えば、ＭＡＣ ＣＥなど）により、三次的にはＬ１レベルのシグナリング（例えば、ＤＣＩなど）により指示されることができる。このように階層化したＱＣＬ設定指示方式は、ＢＲＲＳに対するＱＣＬ設定だけでなく、他のＲＳ／ＳＳに対するＱＣＬ設定にも同一／類似するように適用されることができる。
【０２４５】
このようにＢＲＲＳのチャネル推定／測定目的として提供される（ＢＲＲＳと）ＱＣＬされたＲＳ／ＳＳ（例えば、ＢＲＳ及び／又はＰＳＳ／ＳＳＳ）情報をＬ１（及び／又はＬ２）レベルの動的指示（dynamic indication）を通じてシグナリングする方式は、「非周期的又はｏｎ−ｄｅｍａｎｄ」ＢＲＲＳ送信を考慮する無線通信システムにおいて非常に効率的である。
【０２４６】
より具体的には、送信機は、受信機に事前に少なくとも１つのＢＲＲＳ（資源）を設定しておくことができ、送信機（又は、基地局）は、受信機が各ＢＲＲＳを受信するための情報をＬ２レベル（例えば、ＭＡＣ ＣＥ）及び／又はＬ１レベル（例えば、ＤＣＩ）を通じて動的指示することができる。ここで、各ＢＲＲＳを受信するための情報は、（ＢＲＲＳと）ＱＣＬされたＲＳ／ＳＳ情報を含み、例えば特定ＢＲＳポート及び／又は特定ＰＳＳ／ＳＳＳなどに関する情報を含むことができる。その結果、送信機（又は、基地局）は、端末に予め設定しておいたＢＲＲＳ送信資源を用いて端末のローディング（loading）及びトラヒック／チャネルコンディションなど瞬時的な状況を考慮して非常に柔軟に適切な（非周期的／ｏｎ−ｄｅｍａｎｄ）ＢＲＲＳ送信を行うことができるという利点がある。
【０２４７】
前述した動作を効果的に支援するために、各ＢＲＲＳ（又は、ＢＲＲＳ資源）別に及び／又はＢＲＲＳポート別に特定ＩＤを付与されることができ、そして／又は各ＢＲＳ（又は、ＢＲＳ資源）別に及び／又はＢＲＳポート別に特定ＩＤが付与されることができる。このような特定ＩＤは、前述した端末にＱＣＬ設定を提供するためのＱＣＬシグナリングを通じて端末に指示されることができる。
【０２４８】
基地局が特定ＢＲＲＳに対してＱＣＬされたＲＳ／ＳＳ（例えば、特定ＢＲＳポート）情報を端末に（動的）指示するときに、ＱＣＬ仮定が適用されるＱＣＬパラメータ／特性を前記列挙したＱＣＬパラメータ／特性のうち一部に制限することができる。
【０２４９】
例えば、端末は｛ドップラー拡散、及び／又はドップラーシフト｝パラメータ／特性に対してのみＱＣＬ仮定が可能であることに制限されることができる。これは、ＢＲＲＳ自体だけでは周波数動機を安定的に取得することに限界がある場合などの理由に起因する。特に、例えば、 ＢＲＲＳと特定ＢＲＳ間のＱＣＬ仮定はＢＲＲＳとＢＲＳが同一の発振器（oscillator）から生成される場合などの実現方式により支援されることができる。
【０２５０】
そして／または、端末は｛ドップラー拡散 、及び／又は平均遅延｝パラメータ／特性に対して（も）ＱＣＬ仮定が可能であることに制限されることができる。例えば、ＢＲＲＳとＱＣＬされたＢＲＳの前記ＬＳＰは（同一のパネルアンテナから送信されるなど）ＢＲＲＳとＢＲＳとの間に暗示（infer）できることが保証される場合に基地局が端末に設定／支援することにより効果的な受信機実現を支援することができる。
【０２５１】
そして／または、端末は｛平均角及び／又は角度拡散｝パラメータ／特性（すなわち、受信ビーム関連パラメータ）に対して（も）ＱＣＬ仮定できることに制限されることができる。これは、ＢＲＲＳの受信のための受信（アナログ）ビーム係数生成（beam coefficients generation）をＢＲＳ受信時に適用したビーム係数生成から暗示して適用できるようにすることにより効率的な受信機実現を支援できるという利点がある。あるいは、ＢＲＲＳのＡＡは特定レベル以上にＢＲＳのＡＡと相異なる角度で外れることができることを考慮する場合は、「ＡＳ」のみを（追加）反映（すなわち、ＱＣＬ仮定）するよう端末に設定することもできる。
【０２５２】
４．ＣＳＩ−ＲＳ ＱＣＬ
【０２５３】
ＣＳＩ−ＲＳベースＣＳＩ測定及び報告動作において、ＣＳＩ−ＲＳ自体に対するチャネル測定時、（ＮＲにおけるＣＳＩ−ＲＳ送信が非周期的特性を有することができることを考慮すると）ＲＳ密度がさらに高いＢＲＳやＢＲＲＳなどから特定ＱＣＬパラメータ／特性（例えば、｛ドップラー拡散及びドップラーシフト｝）に対するＱＣＬ仮定が可能であるように支援される必要がある。（ＣＳＩ−ＲＳと）ＱＣＬされたＲＳ／ＳＳに関する情報は該当ＣＳＩ−ＲＳのＲＲＣ設定時に共に提供されることができ、これはＣＳＩ−ＲＳのための半静的ＱＣＬ設定（semi-static QCL configuration for ＣＳＩ−ＲＳ）が支援されることとみなすことができる。
【０２５４】
または、より動的なＱＣＬ設定を提供するためにＭＡＣ ＣＥ（及び／又は、ＤＣＩ）などによるＬ２レベル（及び／又は、Ｌ１レベル）のＱＣＬ設定が各ＣＳＩ−ＲＳ（資源）に対して設定／提供されることもできる。例えば、ｆｕｌｌ ｆｌｅｘｉｂｉｌｉｔｙを有してＬ２レベル（及び／又は、Ｌ１レベル）で全てのＱＣＬ設定情報が端末に（リアルタイムで）提供されるか、ＲＲＣ設定により複数の候補（candidate）ＱＣＬ設定パラメータセットを設定しておいてこのうちいずれを選択／適用／使用するかはＬ２レベル（及び／又は、Ｌ１レベル）シグナリングを通じて端末が指示を受ける形態で支援されることもできる。
【０２５５】
ＱＣＬ設定指示／シグナリングをさらに階層化した例として、基地局はＲＲＣ設定により複数の候補ＱＣＬ設定パラメータセットを端末に設定しておき、このうち２＾Ｍ（Ｍ＞＝１）個のパラメータセットをＭＡＣ ＣＥなどのＬ２レベルシグナリングを通じて一次的にフィルタリングした後、１次でフィルタリングしたパラメータセットのうちいずれのパラメータセットを最終的に選択／適用／使用するかをＮ−ｂｉｔフィールドの特定ＤＣＩなどによるＬ１レベルシグナリングを通じて端末に指示する方式も適用できる。すなわち、ＱＣＬ設定が階層化して（例えば、合計３次にわたって）（又は、複数回にわたって）端末に指示／提供されることができ、一次的にはＲＲＣ設定により、二次的にはＬ２レベルのシグナリング（例えば、ＭＡＣ ＣＥなど）を通じて、三次的にはＬ１レベルのシグナリング（例えば、ＤＣＩなど）を通じて指示されることができる。このように、階層化したＱＣＬ設定指示方式は、ＣＳＩ−ＲＳに対するＱＣＬ設定だけでなく、他のＲＳ／ＳＳに対するＱＣＬ設定にも同一／類似するように適用できる。
【０２５６】
このようにＣＳＩ−ＲＳのチャネル推定／測定目的などとして提供される（ＣＳＩ−ＲＳと）ＱＣＬされたＲＳ／ＳＳ（例えば、ＢＲＳ、ＢＲＲＳ及び／又はＰＳＳ／ＳＳＳ）情報をＬ１（及び／又はＬ２）レベルの動的指示（dynamic indication）を通じてシグナリングする方式は、「非周期的又はｏｎ‐ｄｅｍａｎｄ」 ＣＳＩ−ＲＳ送信を考慮する無線通信システムにおいて非常に効率的でありうる。
【０２５７】
より詳細には、送信機は、受信機に事前に少なくとも１つのＣＳＩ−ＲＳ（資源）を設定しておくことができ、各ＣＳＩ−ＲＳ ＩＤ（又はＣＳＩ−ＲＳ資源構成）別にＣＳＩ−ＲＳ測定のための全ての設定情報（例えば、ポート数／ナンバー(#of ports)、スクランブリングＩＤ、時間／周波数ＲＥパターン、ポートサブセット(実際に、割り当てられたポート)、(ＣＳＩ−ＲＳと)ＱＣＬされたＲＳ／ＳＳ情報、及び／又はサブフレーム周期／オフセット）を半静的に設定することではなくこのうちの一部情報要素（例えば、｛ポート数／ナンバー(#of ports)、スクランブリングＩＤ及び／又は時間／周波数ＲＥパターン｝）のみを半静的に設定（例えば、ＲＲＣを通じて）することができる。この場合、送信機は、半静的に設定された情報要素を除いた残りの情報要素はＬ２レベル（例えば、ＭＡＣ ＣＥ）及び／又はＬ１レベル（例えば、ＤＣＩ）を通じて動的指示することができる。残りの情報要素は、（ＣＳＩ−ＲＳと）ＱＣＬされたＲＳ／ＳＳに関する情報を含むことができ、例えば、特定ＢＲＳ／ＢＲＲＳポート及び／又は特定ＰＳＳ／ＳＳＳなどに関する情報を含むことができる。ここで、半静的に設定することは、予め設定されている候補パラメータセットのうち特定セットが動的に選択される方式が適用されることを意味することができる。
【０２５８】
その結果、送信機（又は、基地局）は、端末に予め設定しておいたＣＳＩ−ＲＳ資源を用いて端末のローディング（loading）及びトラヒック／チャネルコンディションなど瞬時的な状況を考慮して非常に柔軟に適切な（非周期的／ｏｎ‐ｄｅｍａｎｄ）ＣＳＩ−ＲＳ送信を行うことができるという利点がある。
【０２５９】
このような実施形態において、端末に半静的に設定しておく少なくとも１つのＣＳＩ−ＲＳ（資源）は、それぞれ対応するＩＤを有する少なくとも１つの「ＣＳＩ−ＲＳコンテナ（「ＣＳＩ−ＲＳ container(s) each with corresponding ID」）と解析されることができる。このように各「ＣＳＩ−ＲＳコンテナ」に非周期的／「ｏｎ‐ｄｅｍａｎｄ」ＣＳＩ−ＲＳを格納して送信することは、基地局が送信時点毎に最適なビームフォーミング及び該当ＣＳＩ−ＲＳに関連するＱＣＬされたＲＳ／ＳＳを動的指示することによりＣＳＩ−ＲＳ送信資源の使用効率を最大化できるという利点を有する。
【０２６０】
受信機（又は、端末）に設定される少なくとも１つのＣＳＩ−ＲＳ資源は、各ＣＳＩ−ＲＳ資源別に独立的に相異なるＲＳ／ＳＳとのＱＣＬ仮定が設定／指示されることができる。例えば、端末にＣＳＩ−ＲＳ♯１及び＃２が設定されたと仮定するとき、ＣＳＩ−ＲＳ♯１は特定ＢＲＳとＱＣＬ仮定され、ＣＳＩ−ＲＳ資源#２は特定ＢＲＲＳとＱＣＬ仮定される形態で設定／指示することができる。ここで、ＣＳＩ−ＲＳ♯１は、プリコーディングされない（non-precoded）ＣＳＩ−ＲＳ、及び／又はＣＳＩ−ＲＳ測定初期段階のためのＣＳＩ−ＲＳ（例えば、ＣＳＩ−ＲＳ♯１及び＃２に基づいたハイブリッドＣＳＩ報告におけるＣＳＩ−ＲＳ#１）に該当することができ、この場合、ＣＳＩ−ＲＳ♯１は特定ＢＲＳとＱＣＬされると設定／指示されることができる。それに対して、ＣＳＩ−ＲＳ♯２はビームフォーミングされた（beamformed）ＣＳＩ−ＲＳ、及び／又は端末が特定ＢＲＳをサービング−ビームとして接続して（後続する）ＢＲＲＳを通じて既にビーム改良（beam refinement）を十分に進行した状態で基地局が送信効率を向上させるためのリンク適応（link adaptation）を目的に設定したＣＳＩ−ＲＳ♯２に該当し、この場合、ＣＳＩ−ＲＳ♯２はＢＲＳではないＢＲＲＳとＱＣＬ設定／指示されることができる。
【０２６１】
そして／または、受信機（又は、端末）に複数のＣＳＩ−ＲＳ資源が設定される場合、複数のＣＳＩ−ＲＳ資源間の（少なくとも受信ビーム関連パラメータに対する）ＱＣＬ仮定が設定／指示されることもできる。例えば、端末にＣＳＩ−ＲＳ♯１及び#２が設定された場合、端末は（少なくとも受信ビーム関連パラメータに対して）ＣＳＩ−ＲＳ♯１及び＃２のアンテナポート間のＱＣＬ関係を仮定することができる。
【０２６２】
そして／または、受信機（又は、端末）は、１つのＣＳＩ−ＲＳ資源内のアンテナポートの間のＱＣＬ仮定が設定／指示されることもできる。例えば、端末にＣＳＩ−ＲＳ♯１が設定された場合、端末はＣＳＩ−ＲＳ♯１に対応するアンテナポートの間のＱＣＬ関係を仮定することができる。
【０２６３】
このように多様な動作を円滑に支援するために、ＣＳＩ−ＲＳはＢＲＳ又はＢＲＲＳのいずれか１つとのＱＣＬ仮定が選択的に設定／指示されることができる。ただ、これに限定されるものではなく、実施形態によってＣＳＩ−ＲＳはＢＲＳ及びＢＲＲＳ全てに対するＱＣＬ仮定が設定／指示されることによりＱＣＬ ＲＳ密度を最大化する方法も共に支援されることができる。
【０２６４】
基地局が特定ＣＳＩ−ＲＳに対してＱＣＬされたＲＳ／ＳＳ（例えば、特定ＢＲＳポート）情報を端末に（動的）指示するとき、ＱＣＬ仮定が適用されるＱＣＬパラメータ／特性を前記列挙したＱＣＬパラメータ／特性中の一部に制限することができる。
【０２６５】
例えば、端末は｛ドップラー拡散、及び／又はドップラーシフト｝パラメータ／特性に対してのみＱＣＬ仮定が可能であることに制限することができる。これは、ＣＳＩ−ＲＳ自体だけで周波数同期を安定的に取得することに限界がある場合などの理由に起因する。
【０２６６】
そして／または、端末は｛平均角及び／又は角度拡散｝パラメータ／特性（すなわち、受信ビーム関連パラメータ）に対して（も）ＱＣＬ仮定が可能であることに制限することができる。これは、さらに安定的なビーム幅をＣＳＩ−ＲＳ受信処理に反映することが有利であるためである。さらに、ＣＳＩ−ＲＳのビーム幅が狭い（narrow）とすると、「ＡＳ」のみを（追加）反映（すなわち、ＱＣＬ仮定）するよう端末に設定することもできる。
【０２６７】
そして／または、端末は｛遅延拡散、及び／又は平均遅延｝パラメータ／特性に対して（も）ＱＣＬ仮定が可能であることに制限することができる。これは、ＣＳＩ−ＲＳ送信帯域幅が一部帯域に限定されて送信されるなどの場合を考慮するとき、ＣＳＩ−ＲＳ送信帯域幅よりさらに広い帯域で送信されるＢＲＳなどの前記ＱＣＬパラメータをＣＳＩ−ＲＳ受信処理に反映することが有利であるためである。
【０２６８】
５．ＤＭＲＳ ＱＣＬ
【０２６９】
ＤＭＲＳベースＰＤＳＣＨ／ＥＰＤＣＣＨなどを端末が受信しようとするとき、ＤＭＲＳに対するチャネル推定が必要であり、このようなＤＭＲＳ対する特定ＣＳＩ−ＲＳ、ＢＲＲＳ、及び／又はＢＲＳとのＱＣＬ仮定／シグナリングが支援されることができる。
【０２７０】
例えば、ＣＳＩ−ＲＳの密度が十分であると（基地局により）判断される環境では、ただＤＭＲＳと特定ＣＳＩ−ＲＳ資源間のＱＣＬのみを適用するように設定／指示されることができる。あるいは、ＮＲ環境においてのようにＣＳＩ−ＲＳ送信が非周期的特性を有することによりＣＳＩ−ＲＳ密度が不十分である可能性があることを考慮すると、ＤＭＲＳはＣＳＩ−ＲＳよりＲＳ密度が安定的に保証される他のＲＳのＱＣＬ支援を受けなければならないこともある。この場合、ＤＭＲＳは特定ＢＲＳ、ＢＲＲＳ及び／又はＰＣＲＳとＱＣＬされることができ、このようなＱＣＬ設定を指示するダイレクト（direct）ＱＣＬシグナリングが端末に提供されることができる。ここで、ダイレクトＱＣＬシグナリングはＤＭＲＳとのＱＣＬ設定を前記ＲＳだけでなく、特定ＣＳＩ−ＲＳ資源、ＰＳＳ及び／又はＳＳＳに対しても共に／追加に端末に指示することもできる。
【０２７１】
前述したようなｉｎｔｅｒ−ＲＳ／ＳＳ間の特定ＱＣＬ設定／指示が提供されるとき、特定／個別ＱＣＬパラメータ別に独立的な／分離された／相異なるＲＳと／又はＳＳ間のＱＣＬ適用が可能である形態でｉｎｔｅｒ−ＲＳ／ＳＳ ＱＣＬ関係（relationship）が定義／設定されることができる。すなわち、端末はＱＣＬ仮定／適用するとき、ＤＭＲＳとＱＣＬされるＲＳ／ＳＳ種類によって適用するＱＣＬパラメータを区分する／異にすることができる。
【０２７２】
一例として、ＤＭＲＳが特定ＣＳＩ−ＲＳ資源とＱＣＬされる場合、端末は｛遅延拡散、平均遅延、平均角、角度拡散、及び／又は平均利得｝パラメータ／特性に対してのみ制限的にＱＣＬを仮定／適用するように設定／指示されることができる。また、ＤＭＲＳが特定ＢＲＳ、ＢＲＲＳ、ＰＣＲＳ、及び／又はＰＳＳ／ＳＳＳとＱＣＬされる場合、端末は｛ドップラー拡散、及び／又はドップラーシフト｝に対して制限的にＱＣＬを仮定／適用するように設定／指示されることができる。これは、｛ドップラー拡散、及び／又はドップラーシフト｝パラメータ／特性をＣＳＩ−ＲＳのみに基づいて推定／適用することに限界があるためである。
【０２７３】
他の例として、ＤＭＲＳが特定ＢＲＳ、ＢＲＲＳ、ＰＣＲＳ、及び／又はＣＳＩ−ＲＳ資源とＱＣＬされる場合、端末は｛遅延拡散、平均遅延、平均角、角度拡散、及び／又は平均利得｝パラメータ／特性に対してのみ制限的にＱＣＬを仮定／適用するように設定／指示されることができる。また、ＤＭＲＳが特定ＰＳＳ及び／又はＳＳＳとＱＣＬされる場合、端末は｛ドップラー拡散、及び／又はドップラーシフト｝に対してのみ制限的にＱＣＬを仮定／適用するように設定／指示されることができる。本実施形態は、ＤＭＲＳの｛ドップラー拡散、及び／又はドップラーシフト｝パラメータ／特性をＰＳＳ／ＳＳＳから推定／適用することがさらに安定した性能を保証する場合などに適用できる。
【０２７４】
他の例として、ＤＭＲＳが特定ＢＲＳ、ＢＲＲＳ、ＰＣＲＳ、及び／又はＣＳＩ−ＲＳ資源とＱＣＬされる場合、端末は｛遅延拡散、平均遅延、平均角、角度拡散、及び／又は平均利得｝パラメータ／特性に対してのみ制限的にＱＣＬを仮定／適用するように設定／指示されることができる。また、ＤＭＲＳが特定ＢＲＳ、ＢＲＲＳ、ＰＣＲＳ、及び／又はＰＳＳ／ＳＳＳとＱＣＬされる場合、端末は｛ドップラー拡散、及び／又はドップラーシフト｝パラメータ／特性に対してのみ制限的にＱＣＬを仮定／適用するように設定／指示されることができる。本実施形態によれば、特定ＢＲＳ及び／又はＢＲＲＳの場合、全ての（又は、大部分の）ＱＣＬパラメータ／特性に対してＱＣＬ仮定が適用できるようにすると同時に、特定ＣＳＩ−ＲＳ資源の場合、一部制限的なＱＣＬパラメータ／特性に対してのみ（例えば、｛ドップラー拡散、及び／又はドップラーシフト｝を除いて）ＱＣＬ仮定が可能になるようにすることができる。このように、基地局は各ＲＳ／ＳＳ別にＱＣＬパラメータ／特性の適用可能範囲を異なるように設定／指示することができ、このうち一部複数のＲＳ／ＳＳに対しては同一のＱＣＬパラメータ／特性に対して共にＱＣＬ仮定できるように設定／指示することにより、使用可能なＲＳサンプル数をさらに増加させることができる。この場合、最も直接的なＱＣＬ適用は、特定ＲＳ（例えば、ＣＳＩ−ＲＳ）に優先順位を付与するが、加重値平均（weighted average）などを通じて他のＲＳ（例えば、ＢＲＳ、ＢＲＲＳ、及び／又はＰＣＲＳ）からのＱＣＬ適用も一部共に考慮できるようにする形態で実現されることができる。
【０２７５】
ＤＭＲＳ ＱＣＬ仮定／シグナリング時に（ｎｏｎ−ｃｏｈｅｒｅｎｔ ｊｏｉｎｔ送信を支援する目的などで）特定ＤＭＲＳポート別に相異なるＱＣＬ設定／指示が適用されることができる。例えば（ＤＬスケジューリング承認(grant)を通じて）ＤＭＲＳポート７〜１０の指示を受けた場合、端末はこのうちＤＭＲＳポート７及び８に対しては特定｛ＢＲＳ、ＢＲＲＳ、ＰＣＲＳ、及び／又はＣＳＩ−ＲＳ｝とＱＣＬ仮定するように、ＤＭＲＳポート９及び１０に対してはまた他の特定｛ＢＲＳ、ＢＲＲＳ、ＰＣＲＳ、及び／又はＣＳＩ−ＲＳ｝とＱＣＬ仮定が可能であるように指示することができる。これにより、事実上ＤＭＲＳポート｛７及び８｝と｛９及び１０｝は相異なるＴＲＰ（Transmission Reception Point）から送信されるか、又は同一のＴＲＰ内においてでも異なるアンテナパネルから送信されるなどの実施形態に適用できる。これにより、多様な形態の（ｎｏｎ−ｃｏｈｅｒｅｎｔｊｏｉｎｔ）送信が効果的に支援できる。
【０２７６】
特定ＤＭＲＳが特定ＣＳＩ−ＲＳとＱＣＬされ、該当ＣＳＩ−ＲＳは特定ＢＲＳとＱＣＬされ、このようなＤＭＲＳ ＱＣＬとＣＳＩ−ＲＳ ＱＣＬが全てそれぞれ（別途の）Ｌ１レベルシグナリング（例えば、ＤＣＩによるシグナリング）で動的指示される場合を仮定することができる。この場合、ＤＭＲＳをどの時点に送信されたＣＳＩ−ＲＳとＱＣＬを仮定すべきかに関するタイムライン問題が発生することがある。すなわち、ＤＭＲＳ受信／測定にどの時点に送信されたＣＳＩ−ＲＳとのＱＣＬを反映しなければならないかなどに関するタイムライン問題が発生することがある。
【０２７７】
これを解決するために、特定ＤＭＲＳ（ポート）が特定ＣＳＩ−ＲＳ ＩＤ＃ｋとＱＣＬされるというシグナリングが例えば♯ｎ ＳＦに受信された場合、端末は♯ｎ ＳＦ時点又はその以前のＳＦ時点のうち最も近くに（成功的に）受信された該当ＣＳＩ−ＲＳ ＩＤ♯ｋの、
−単一ＳＦ時点で受信されるＣＳＩ−ＲＳ ＩＤ♯ｋの測定サンプルにのみ基づいてＱＣＬ仮定を適用するか（本実施形態は該当ＣＳＩ−ＲＳ ＩＤ♯ｋに関して測定制限(measurement restriction：ＭＲ)がＯＮに設定された場合にのみ適用するように限定されることもできる）、
−単一ＳＦ時点で受信されるＣＳＩ−ＲＳ ＩＤ♯ｋの測定サンプルだけでなく、（該当時点のＣＳＩ−ＲＳ ＩＤ♯ｋ自体の受信／測定のために（ＤＣＩトリガリングにより）提供されたＱＣＬされたＲＳ／ＳＳ（例えば、ＢＲＳ及び／又はＢＲＲＳ）と同一の情報がＱＣＬシグナリングで提供された）もっと以前の時点のＣＳＩ−ＲＳ ＩＤ♯ｋの測定サンプルを共に結合／平均化（combining/averaging）などによるＱＣＬ仮定を適用することができる。
【０２７８】
６．ＰＣＲＳ ＱＣＬ
【０２７９】
ＰＣＲＳは位相ドリフト（phase drift）補正／位相｛いそう｝トラッキング（phase tracking）などのための目的で定義されたＲＳであり、ＤＭＲＳと共に送信することができる。複数のＤＭＲＳポートが含まれる各ＤＭＲＳポートグループ当たり１つのＤＭＲＳは１つのＰＣＲＳと互いに連係（例えば、ＱＣＬ／ＧＣＬ関係を有する）する。ＰＣＲＳはＰＴ（Phase Tracking）−ＲＳとして称されることもできる。または、以下に後述するＧＣＬ観点でＰＣＲＳがＤＭＲＳとＧＣＬされる場合、ＤＭＲＳは第１（Primary）ＤＭＲＳ又は第２（Secondary）ＰＣＲＳ（又はＰＴ−ＲＳ）、ＰＣＲＳ（又はＰＴ−ＲＳ）は第２（Secondary）ＤＭＲＳ又は第１（Primary）ＰＣＲＳ（又はＰＴ−ＲＳ）であると称されることもできる。
【０２８０】
ＰＣＲＳを受信／測定するために必要なＱＣＬは、共に送信／スケジューリングされるＤＭＲＳの受信／測定のために適用するように設定／指示されるＱＣＬ動作をそのまま／同一に適用するように定義／設定されることができる。本明細書においては、このような関係を「ＧＣＬ（genuine co-location）」関係と称する。すなわち、ＧＣＬとは、「ＧＣＬされたアンテナポート間に互いにｌａｒｇｅ−ｓｃａｌｅパラメータのみを暗示（infer）できることでなくそれ以上も（例えば、ｓｍａｌｌ−ｓｃａｌｅパラメータなど）暗示できるＱＣＬ関係を意味する。これを一般化すると、端末は「ＧＣＬされる（又は、ＧＣＬ関係を有する）ポートを事実上同一ポートとして取り扱って特定時間バンドリング（bundling）及び／又は周波数バンドリングが可能」であると解析することができる。すなわち、端末はＧＣＬ関係にあるポートは事実上同一のポートと取り扱って同一のプリコーディングの仮定が可能である。
【０２８１】
例えば、ＰＣＲＳはＤＭＲＳとＧＣＬ仮定が可能であるように定義／設定／指示されることができ、この場合は、端末はＰＣＲＳポートとＤＭＲＳポートを同一ポートと取り扱って／みなして２つのアンテナポートに同一のプリコーディングが適用されたと仮定することができる。
【０２８２】
このようなＧＣＬ概念は、送信ビーム調整（coordination）及びＱＣＬに関連して以下でより詳細に後述する。
【０２８３】
そして／又は、ＰＣＲＳを受信／測定するために必要なＱＣＬを共に送信／スケジューリングされるＤＭＲＳのＱＣＬと分離して別途に／独立的なＱＣＬシグナリングが提供される方式も適用できる。ここで、別途の分離されたＱＣＬシグナリングはＤＣＩを通じてそれぞれＲＳ別に別途に提供されることができる。または、加重されるＤＣＩオーバーヘッド問題を防止するために、ＰＣＲＳのためのＱＣＬシグナリングをＤＭＲＳのためのＱＣＬシグナリングより相対的に半静的方式で提供されるように分離することもできる。例えば、ＰＣＲＳのためのＱＣＬシグナリングは、ＭＡＣ ＣＥなどによるＬ２レベルのシグナリング及び／又はＲＲＣシグナリングなどを通じて提供されることができる。例えば、ＤＭＲＳは特定ＣＳＩ−ＲＳ（及び／又はＢＲＳ及び／又はＢＲＲＳ）とＱＣＬ仮定が可能であるように設定／指示されるか、ＰＣＲＳは特定（サービング）ＢＲＳ（及び／又はＢＲＲＳ）とＱＣＬ仮定が可能であるように設定／指示されることができる。
【０２８４】
本明細書において、（ＱＣＬされた／ＧＣＬされた）（特定）ＲＳ／ＳＳは、特別にサービング−セル／ＴＰ／ビームに対するＲＳ／ＳＳであることが暗示的に指示（implicitly indication）される。すなわち、端末は前記（ＱＣＬされた／ＧＣＬされた）（特定）ＲＳ／ＳＳはサービング−セル／ＴＰ／ビームに対するＲＳ／ＳＳであると認識するように定義／設定され、これらに対するＱＣＬ仮定を適用することができる。
【０２８５】
７．ＱＣＬタイプ
【０２８６】
ＬＴＥ−Ａ標準におけるＱＣＬタイプの場合、基地局はＣｏＭＰ動作のためにＱＣＬタイプＢにＲＲＣ設定して端末がＤＰＳ（dynamic point selection）動作を行うことができるようにするか、ｎｏｎ−ＣｏＭＰ動作のためにＱＣＬタイプＡにＲＲＣ設定して端末がサービング−セルの全てのＲＳの相互間にＱＣＬ適用するようにした。
【０２８７】
ＮＲ環境においては、ｃｅｌｌ／ＴＰだけでなく、特定ビーム方向に形成された仮想セル／セクター（virtual sector）に対してサービスを受ける動作が可能である（例えば、アナログビームフォーミングにより）。このような仮想セル／セクターを便宜上、「ビーム」と称すると、動的「ビーム」選択（Dynamic beam selection：ＤＢＳ）などのビーム間ＣｏＭＰ動作も可能であるように支援される必要がある。これに対する具体的例示は、以下、図１０を参照して後述する。
【０２８８】
図１０は、本発明が適用されるパネル別にアナログビームフォーミングが適用されたアンテナパネルモデルを例示する。
【０２８９】
図１０の例示のように、「マルチパネルアンテナ」構造を有する送信アンテナ構成により、各パネル別に特定アナログビームフォーミングが適用されてそれぞれ「仮想セル／セクター／ビーム」を形成している状況を仮定することができる。このような送信機から特定受信機に信号を送信するとき、特定ビーム方向（例えば、特定パネルからの(from a particular panel)）の信号が優勢（dominant）でなく、隣接の２つ以上のビーム方向の信号品質が特定レベル以内の差を示す状況などにおいては前述したＤＢＳによる性能向上を期待することができる。
【０２９０】
従って、本明細書においては、受信機のこのような動作を支援できる特定ＱＣＬタイプＢ’を定義／設定することにより、受信機がＤＢＳなどのビームベースＣｏＭＰ動作を円滑に行うことができるように支援することを提案する。また、ＱＣＬタイプＡ’は、サービングセル／ＴＰ／ビームに該当するＲＳ間に互いにＱＣＬ仮定が適用できるようにするモードとして支援されることができる。
【０２９１】
前述した提案内容をまとめると、次のような形態でＱＣＬタイプスイッチングが定義／設定されることができる：
【０２９２】
サービングセル／ＴＰ／ビームのための送信モードＸが設定された（又は、Ｎｅｗ ＲＡＴ動作のために設定された）ＵＥは、ＤＭＲＳに関連したアンテナポート（例えば、ポート７〜１４）に関連した送信方式によってＰＤＳＣＨをデコーディングするために、上位層パラメータによりサービングセル／ＴＰ／ビームに対して次のようなＱＣＬタイプのうち１つが設定されることができる。
【０２９３】
−タイプＡ’：ＵＥにおいて、サービングセル／ＴＰ／ビームのＢＲＳ（及び／又はＢＲＲＳ及び／又はＰＳＳ／ＳＳＳ）に関連したアンテナポートは前述したＱＣＬパラメータ／特性の少なくとも１つに対してＱＣＬされる。
【０２９４】
−タイプＢ’：ＵＥにおいて、上位層パラメータにより識別されるＣＳＩ−ＲＳ資源（及び／又はＢＲＳ／ＢＲＲＳ）構成に該当するアンテナポートＸＸ〜ＹＹとＰＤＳＣＨに関連したＤＭＲＳに関連するアンテナポート（例えば、７〜１４）は前述したＱＣＬパラメータ／特性の少なくとも１つに対してＱＣＬされる。
【０２９５】
前記設定可能なＱＣＬタイプのうち、ＱＣＬタイプＢ’を後述するＱＣＬタイプＣ’に代替して、ただＱＣＬタイプＡ’とＱＣＬタイプＣ’間の半静的スイッチングのみが可能であるように限定定義するか、あるいはＱＣＬタイプＡ’〜Ｃ’を全て定義してＲＲＣシグナリングなどにより選択的にいずれか１つのタイプが設定される方式も適用できる。
【０２９６】
−タイプＣ’：ＵＥは指示されたＢＲＳ／ＢＲＲＳ構成に対応する特定ビームのＢＲＳ／ＢＲＲＳ（及び／又はＰＣＲＳ）に関連したアンテナポート及びＰＤＳＣＨに関するＤＭＲＳに関連したアンテナポート（例えば、ポート７〜１４）は前述したＱＣＬパラメータ／特性の少なくとも１つに対してＱＣＬされる。
【０２９７】
ただ、このようなＱＣＬタイプＡ−Ｃ関連の説明は本発明で提案されたＱＣＬ関連提案要素が多様に反映されて変更／定義できることは言うまでもない。すなわち、ＱＣＬタイプをＡ’とＢ’にしてスイッチングするか、ＱＣＬタイプＡ’及びＢ’以外に特定ＢＲＳとののダイレクトＱＣＬを指示するＱＣＬタイプＣも（共に／追加で）支援されるようにするとき、これに対して適用できるＱＣＬタイプ／特性を含む細部説明には本発明で提案された技術要素が反映／代替されて定義／変更／適用されることができる。
【０２９８】
本明細書において、説明の便宜上、様々なＲＳをＢＲＳ、ＢＲＲＳ、ＰＣＲＳなどの用語として称しているが、本発明の適用がこれらに限定されるものではなく、該当ＲＳと同一／類似した形態／機能／目的を有する他の名称のＲＳなどに対しても本発明が適用できることは言うまでもない。
【０２９９】
また、本明細書において、端末／受信機に設定／指示される制御情報はＲＲＣ、ＭＡＣ ＣＥ、及び／又はＤＣＩにより伝達されることができ、このようなＬ１及び／又はＬ２レベルなどのシグナリングのうちどのような形態のシグナリングを通じて該当設定／指示が提供されるかは個別制御情報別に異なるように／独立的に定義／設定されることができる。
【０３００】
＜ＮＲのための送信ビーム調整（transmission beam coordination）及びＱＣＬ＞
【０３０１】
ＮＲ環境においてＤＬ ＭＩＭＯ及びＵＬ ＭＩＭＯ全てに対して単一／多重（single/multi）ポイント送信を支援することができる。また、ＮＲ環境において、ＱＣＬ仮定とアンテナポートのための測定仮定が行われることができる。これに基づいて、以下、特定ＲＳ間でＱＣＬが仮定されたｉｎｔｒａ／ｉｎｔｅｒ−ＴＲＰ調整（coordinated）送信について後述する。
【０３０２】
１．Ｉｎｔｒａ−ＴＲＰ調整送信
【０３０３】
多様なアンテナパネル配列構造がＮＲ環境／システムにおいて考慮されている。第１パネルモデルは均一な１Ｄ／２Ｄ長方形パネル配列として識別されることができる。適切なＣＳＩ−ＲＳ資源／ポートはこのようなアンテナアレイを通じてＵＥに構成しなければならないので、効率的な閉ループ（closed-loop）ＭＩＭＯ送信がＵＥのＣＳＩ測定及びフィードバックに基づいて適用されることができる。ＣＳＩ−ＲＳポート及びアンテナ配列マッピングは、ｅＮＢ実現にかかっていて多様なマッピング方式が存在することができ、例えば、（１）パネル当たり１つのＣＳＩ−ＲＳ資源、（２）パネル当たり複数のＣＳＩ−ＲＳ資源、及び（３）複数のパネルにマッピングされたＣＳＩ−ＲＳ資源がマッピングされる方式などが存在する。
【０３０４】
図１１は、本発明の一実施形態によってパネル当たり１つのＣＳＩ−ＲＳ資源がマッピングされる方式を例示する。
【０３０５】
図１１の実施形態は、１つのＣＳＩ−ＲＳ資源が（a/one）パネルから送信されてＣＳＩ−ＲＳ資源内のＣＳＩ−ＲＳポートがＱＣＬ保証／仮定できるＣＳＩ−ＲＳマッピングの最も簡単な方法である。すなわち、本実施形態によれば、１つのＣＳＩ−ＲＳ資源内の（一部又は全ての）ＣＳＩ−ＲＳポート間に前述したＱＣＬパラメータ／特性の少なくとも一部（例えば、平均利得、遅延拡散、ドップラー拡散、ドップラーシフト、平均遅延及び／又は受信ビーム関連パラメータ）に対するＱＣＬが仮定／保証されることができる。このようなＱＣＬ仮定／保証は、（１つのＣＳＩ−ＲＳ資源に含まれる又は１つのパネルにマッピングされる）ＣＳＩ−ＲＳポートで信号を生成するために、（関連構成要素(component)を有する）同一の発振器が用いられた場合に行われる。
【０３０６】
これは、従来の単一（仮想）セル動作と解析されることができ、単一仮想セルは、ＲＲＭ（Radio resource management）（便宜上、以下、「ＲＲＭ−ＲＳ」という）に対応するＲＳポートを測定することによりＵＥに関連されることができる。ＲＲＭ−ＲＳ及び潜在的に非周期的な／サブバンドＣＳＩ−ＲＳに対する詳細なＲＳ設計によって、ＵＥ実現を支援するために、ＣＳＩ−ＲＳ資源と特定ＲＲＭ−ＲＳ間の適切なＱＣＬ仮定が必要である。
【０３０７】
図１２は、本発明の一実施形態によってパネル当たり複数のＣＳＩ−ＲＳ資源がマッピングされる方式を例示する。
【０３０８】
図１２の実施形態は、複数のＢＦ（Beamformed）ＣＳＩ−ＲＳ資源を有するＦＤ（Full Dimension）−ＭＩＭＯクラスＢと類似して多重ビームフォーミングされたＣＳＩ−ＲＳベース動作として解析されることができる。単一のパネルから送信されたこれら複数のＣＳＩ−ＲＳは相異なるビーム方向を目標とするため、それぞれのＣＳＩ−ＲＳとそれに対応するＲＲＭ−ＲＳ間に全てのＱＣＬ特性／パラメータに対して常にＱＣＬされるということはできない。ＬＴＥ ｓｐｅｃにおいて定義されたものと類似して、この場合に対するＣＳＩ−ＲＳとＲＲＭ−ＲＳ間のＱＣＬ仮定には、例えば、ドップラーシフト及びドップラー拡散のような一部特性／パラメータのみが利用でき、これは明示的に指示されることができる。図１１の実施形態とのこのような相違点は、アンテナアレイに対する相異なるＣＳＩ−ＲＳマッピング方式から始まったものであるので、ＮＲ ｓｐｅｃは相異なる目的のＣＳＩ−ＲＳアンテナポートマッピングの多様な実現方式を適切に支援しなければならない。
【０３０９】
図１３は、本発明の一実施形態によって複数のパネルに対して共有される（shared）ＣＳＩ−ＲＳ資源がマッピングされる方式を例示する。
【０３１０】
図１３の実施形態は、複数のパネルアンテナからの協力（cooperative）送信により送信されたＣＳＩ−ＲＳにさらに多くのビームフォーミング利得を有するように複数のパネルにマッピングされた共有されるＣＳＩ−ＲＳ資源として解釈されることができる。このように複数のパネルにＣＳＩ−ＲＳポートがマッピングされる方式は、例えば、トラヒック負荷が少ない特定ＵＥに対するＳＵ−ＭＩＭＯ送信を支援する場合に特に有用でありうる。ＣＳＩ−ＲＳは、ネットワークがターゲットＵＥに対するビームフォーミング方向の十分な情報を取得すると仮定すると、ＵＥ専用のＵＥ特定（specific）ビームフォーミングされた（beamformed）ＣＳＩ−ＲＳとして利用されることができる。使用シナリオを適切に支援するためには、ＱＣＬ仮定が必要である場合、ＣＳＩ−ＲＳとＲＲＭ−ＲＳ間のＱＣＬ仮定とシグナリングがＮＲ動作に対してどのように定義されて支援されているかが調査される必要がある。
【０３１１】
前述した内容をまとめると、多重パネルＴＰ（Transmission Point）に対するＣＳＩ−ＲＳ資源マッピング方法によって、様々なｉｎｔｒａ−ＴＲＰ調整送信方式がＮＲにおいて考慮されることができる。また、ＲＲＭに対するＲＳとＵＥに設定されたＣＳＩ−ＲＳ間の適切なＱＣＬ仮定がｉｎｔｒａ−ＴＲＰ調整送信を支援するために必要となることがある。
【０３１２】
２．ＱＣＬタイプ及びシグナリング
【０３１３】
チャネル推定性能を向上させるために、相異なるアンテナポート間のＱＣＬ仮定がＮＲにおいて必要である場合、図１１ないし図１３において示された実施形態にはＬＴＥ ｓｐｅｃに定義されたこと（ＴＭ １０のＵＥがＲＲＣシグナリングによりＱＣＬタイプＡ又はＢに設定される）のような相異なるＱＣＬタイプに類似した半静的設定が支援されることができる。
【０３１４】
しかしながら、ＮＲコンテキストにおいて、考慮されている非周期的なタイプのＣＳＩ−ＲＳ送信（Ｒｅｌ−１４ ｅＦＤ−ＭＩＭＯにおいて活発に論議される）と共に、ＵＥ側受信動作に効率的に用いるために、より動的に設定可能なＱＣＬタイプ及び対応するＱＣＬ仮定を研究することが好ましい。すなわち、それぞれのＵＥは複数の必須ＲＲＣパラメータを有する特定ＣＳＩ−ＲＳ資源の設定を受けることができるが、実際ＣＳＩ−ＲＳ送信はＬ１−シグナリングを通じてｅＮＢにより制御されることができる。ここで、制御可能なコンポーネントは、実際の送信時点（instance）、時間／周波数ＲＥパターン、ポート数、適用されたポートナンバリング及び／又はスクランブリングシードを含むことができる。このような動的ＣＳＩ−ＲＳ割り当て及び送信は、より動的な方式でＲＲＭ−ＲＳを含む他のＲＳとのより柔軟なＱＣＬシグナリングの支援をさらに要求することができる。すなわち、ＮＲに対する動的ＣＳＩ−ＲＳ割り当て及び送信はＲＲＭ−ＲＳを含む他のＲＳに対するより柔軟なＱＣＬシグナリング支援をさらに要求することができる。
【０３１５】
３．その他のＱＣＬパラメータ／特性
【０３１６】
現在のＬＴＥ ｓｐｅｃにおいては、アンテナポート間のＱＣＬに対する５種類ＬＳＰ、すなわち、遅延拡散、ドップラー拡散、ドップラーシフト、平均利得、及び平均遅延が定義されている。このような既存のＱＣＬパラメータ以外にも、特にアナログビームフォーミングがＵＥ側で適用されるとき、ＮＲ研究のために新しいタイプのａｒｒｉｖａｌ ａｎｇｌｅ／ｂｅａｍに関する特性が考慮される必要がある。
【０３１７】
ビームスキャニング／トラッキングの手順中に、ＵＥは特定ＤＬ ＲＳ（便宜上、‘ＲＲＭ−ＲＳ’と称する）の品質を測定及び比較することにより様々なＴＸ−ＲＸアナログビーム対を選択することができる。ｅＮＢ（又はｇＮＢと称することもできる）はビームフォーミングされたＣＳＩ−ＲＳ又はＤＭＲＳポートを送信するために、ＵＥ選好ＴＸ（送信）ビームのうち１つを選択することができる。この場合、ＵＥは、ＲＲＭ−ＲＳポートに対応するＴＸビームＩＤがＵＥにシグナリングできるように、候補ＲＸビームのうちどのＲＸ（受信）ビームがこれらアンテナポートを受信するように設定されるべきかを知っていなければならない。この状況において、ＲＲＭ−ＲＳポートとＣＳＩ−ＲＳ／ＤＭＲＳポートが以下のようなＱＣＬ定義によってｄｏｍｉｎａｎｔ ａｒｒｉｖａｌ ａｎｇｌｅの観点でＱＣＬされるということができる：
【０３１８】
−１つのアンテナポートのシンボルが伝達されるチャネルのＬＳＰが他のアンテナポートのシンボルが送信されるチャネルから暗示／推論（infer）できる場合、２つのアンテナポートがＱＣＬされたということができる。
【０３１９】
Ｄｏｍｉｎａｎｔ ａｒｒｉｖａｌ ａｎｇｌｅはＲＸビーム形成係数を決定することができる。また、アナログビームがデジタルビームに比べて動的に変更されないことがあるので、Ｄｏｍｉｎａｎｔ ａｒｒｉｖａｌ ａｎｇｌｅは相対的にＬＳＰとみなされることができる。ＱＣＬ仮定無しに、ＵＥは複数のＲＸビーム候補を探索しなければならないが、これはエネルギー及び時間の面で消耗的である。
【０３２０】
従って、ＮＲ環境においては、ＵＥ側でアナログビームフォーミングが適用されるとき、ａｒｒｉｖａｌ ａｎｇｌｅに対する新しいタイプのＱＣＬ特性を考慮する必要があるので、前述したような受信ビーム関連パラメータが新しいタイプのＱＣＬパラメータとして定義されることができる。
【０３２１】
４．Ｉｎｔｅｒ−ＲＳ ＱＣＬ及びＴＲＰ間の送信調整
【０３２２】
ＲＲＭ−ＲＳ設計において、ＲＲＭ−ＲＳ測定を補助するために同期信号から取得されたＱＣＬパラメータ／特性のうち一部（例えば、ドップラーシフト及び平均遅延）がＲＲＭ−ＲＳに対してＱＣＬが仮定されるか否かを考慮すべきである。ＵＥがこのようなＲＲＭ−ＲＳを一度トラッキングすると、これはＵＥに対してＵＥ特定的に（specifically）ビームフォーミングできるより微細なビーム生成のためにＲＲＭ−ＲＳの第２レベルのＱＣＬ連結（linkage）のために用いられることができる。前述したように、ＣＳＩ−ＲＳは第１（primary）又は第２（secondary）ＲＲＭ−ＲＳに対するＱＣＬ連結に従うように指示される必要がある。サブバンドＣＳＩ−ＲＳがＵＥに設定されると、例えば、広帯域で送信される他のＣＳＩ−ＲＳに対するＱＣＬに従うことが有利でありうる。
【０３２３】
現在のＬＴＥ ｓｐｅｃにおいて、ＱＣＬタイプＢを有するＴＭ１０が設定されたＵＥは、ＣｏＭＰ動的ポイント選択（Dynamic point selection：ＤＰＳ）動作として非サービングセル／ＴＰから送信されるＰＤＳＣＨを受信するためにスケジューリングされることができる。ここで、ＰＤＳＣＨのためのＤＭＲＳは、ＤＣＩ内のＰＱＩフィールドにより設定されたＣＳＩ−ＲＳのうち少なくとも１つとＱＣＬに従うように指示されることができる。すなわち、ＰＤＳＣＨのためのＤＭＲＳは、ＰＱＩフィールドにより指示されたＣＳＩ−ＲＳのうち少なくとも１つとＱＣＬ関係を有することに設定される。このようなＤＰＳ動作は、設定されたＣＳＩ−ＲＳ資源（例えば、ＴＲＰ毎に設定された各ＣＳＩ−ＲＳ資源）によって実際に動的ＴＲＰ選択が行われるか、又は単一ＴＲＰ内で動的ビーム選択（ＤＢＳ）が実行できるという点から、ＮＲ−ＭＩＭＯにおいて前記ＤＰＳ動作に類似した動作が考慮されることができる。これは、ビーム調整観点でｉｎｔｒａ−ＴＲＰ ＣｏＭＰとして解析されることができる。
【０３２４】
ＮＲにおいてこのような種類の多様な送信戦略を適切に支援するために、ＮＲ研究のためのＤＭＲＳ設計がどのような他のＱＣＬ支援を要求せず、スケジューリングされた帯域内で十分なＲＳ密度が保証されない限り、ＰＤＳＣＨに対するＤＭＲＳは他のＲＳ（例えば、ＣＳＩ−ＲＳ及び／又はＲＲＭ−ＲＳ）とのＱＣＬに従うように明示的に指示されることができる（In order to properly support these kinds of various transmission strategies in NR, the ＤＭＲＳ for PDSCH should also be explicitly indicated to follow QCL to other RS、ｅ.g., ＣＳＩ−ＲＳ or RRM-RS, unless ＤＭＲＳ design for NR study is done without requiring any other QCL supports and by guaranteeing sufficient RS density within the scheduled band）。
【０３２５】
特に、位相雑音効果によるＵＥ側位相補償を支援するために、同一の副搬送波の様々なシンボルのように時間領域にわたって分散されることを希望するスケジューリングされたＰＤＳＣＨにＤＭＲＳの第２のレベル（すなわち、第２(secondary) ＤＭＲＳ）が送信されることができる。このような第２ＤＭＲＳはＵＥ側の位相補償を支援するために送信されるＲＳであるので、前述したＰＣＲＳ（又は、ＰＴ−ＲＳ）に対応する概念でありうる。従って、第２ＤＭＲＳはＰＣＲＳ（又は、ＰＴ−ＲＳ）と称されるか、ＰＣＲＳ（又は、ＰＴ−ＲＳ）に代替されることができる。
【０３２６】
第２ＤＭＲＳは全てのＱＣＬパラメータ／特性に対して第１ＤＭＲＳとＱＣＬされていると仮定することができるが、このときのＱＣＬは前述したＧＣＬと解析されることができる。ここで、ＧＣＬは、前述したように、アンテナポート間の時間／周波数バンドリングが可能であるため、効果的に同一のポートであると指示する。その結果、端末はＧＣＬされたアンテナポート間に同一のプリコーディングを仮定してＤＭＲＳを受信することができる。
【０３２７】
前述した内容をまとめると、同一の副搬送波領域（すなわち、同一の周波数領域）から複数のシンボル領域（すなわち、様々な時間領域、例えば、連続した時間領域）にわたって／分散されて第１及び第２ＤＭＲＳが送信されることができ、ここで、第１及び第２ＤＭＲＳ間にはＧＣＬ関係が指示／設定されることができる。端末は、第１及び第２ＤＭＲＳのＧＣＬ関係が指示／設定されると、第１及び第２ＤＭＲＳポートに同一のプリコーディングを仮定してＤＭＲＳを受信することができる。
【０３２８】
前述した実施形態におけるＧＣＬ関係は、ＤＭＲＳ（又は、データ復調）観点を中心に解析されたが、ＰＣＲＳ（又は、位相補償）観点を中心に解析／記述されることもできる。すなわち、前述した実施形態において、第２ＤＭＲＳ（又は、ＰＣＲＳ／ＰＴ−ＲＳ）がＤＭＲＳ密度を向上させてＤＭＲＳを安定的に受信しようとする目的／効果として用いられたが、逆に第１ＤＭＲＳがＰＣＲＳ（又はＰＴ−ＲＳ）密度を向上させてＰＣＲＳを安定的に受信しようとする目的／効果として用いられることもできる。
【０３２９】
このような観点で前述した実施形態を再び記述すると、同一の副搬送波領域（すなわち、同一の周波数領域）から複数のシンボル領域（すなわち、様々な時間領域、例えば、連続した時間領域）にわたって／分散されて第１及び第２ＰＣＲＳ（又はＰＴ−ＲＳ）（前述した実施形態の第１及び第２ＤＭＲＳに対応）が送信されることができ、ここで、第１と第２ＰＣＲＳ（又はＰＴ−ＲＳ）間にはＧＣＬ関係が指示／設定されることができる。端末は、第１及び第２ＰＣＲＳ（又はＰＴ−ＲＳ）のＧＣＬ関係が指示／設定されると、第１及び第２ＰＣＲＳ（又はＰＴ−ＲＳ）ポートに同一のプリコーディングを仮定してＰＣＲＳ（又はＰＴ−ＲＳ）を受信することができる。
【０３３０】
前述した実施形態を一般化すると、結局、ＧＣＬ関係を有するＤＭＲＳ及びＰＣＲＳ（又はＰＴ−ＲＳ）が同一の周波数領域から時間領域に分散して端末に送信することができ、端末はＤＭＲＳポートとＰＣＲＳ（又はＰＴ−ＲＳ）ポート間のＧＣＬ関係を仮定し、同一のプリコーディングを仮定してＤＭＲＳ及びＰＣＲＳ（又はＰＴ−ＲＳ）を受信することができる。ここで、ＧＣＬされるＤＭＲＳ及びＰＣＲＳ（又はＰＴ−ＲＳ）は、ＧＣＬ目的（例えば、データ復調目的又は位相補償目的）によって名付けられることができ、データ復調が目的である場合はＤＭＲＳ及びＰＣＲＳ（又はＰＴ−ＲＳ）は第１及び第２ＤＭＲＳと称され、位相補償が目的である場合は第１及び第２ＰＣＲＳ（又はＰＴ−ＲＳ）と称されることができる。ただ、これらに限定されるものではなく、同一の目的／機能／効果を有するＲＳ（又はＲＳ名称）に代替することは言うまでもない。
【０３３１】
結論的に、様々なｉｎｔｒａ/ｉｎｔｅｒ−ＴＲＰ調整（coordinated）送信を適切に支援するために、ＮＲに対するＤＭＲＳ設計がＱＣＬ支援を要求せずに十分なＲＳ密度を保証しない限り、ＣＳＩ−ＲＳ又はＲＲＭ−ＲＳに対するＤＭＲＳ ＱＣＬが動的に指示される必要がある（To properly support various intra/inter-TRP coordinated transmissions, ＤＭＲＳ QCL to ＣＳＩ−ＲＳ or RRM-RS may need to be dynamically indicated, unless ＤＭＲＳ design for NR is done without requiring any QCL supports and by guaranteeing sufficient RS density）。
【０３３２】
前述したＧＣＬ概念は、特定「｛周波数、時間、空間、及び／又はコード｝−ドメインバンドリング／併合」を設定／指示することができることを意味し、
−周波数−ドメインバンドリングの場合、送信機（例えば、基地局）は受信機（例えば、端末）に副搬送波レベル、ＲＢレベル、ＲＢグループ（例えば、ＲＢＧ）レベル及び／又はサブバンドレベルなどでバンドリングを指示することができる。
−時間−ドメインバンドリングの場合、送信機（例えば、基地局）は受信機（例えば、端末）にシンボルレベル、スロットレベル、（ミニ−）サブフレームレベル、又はサブフレームグループ（例えば、ＴＴＩバンドリング）レベルなどでバンドリングを指示することができる。
−空間−ドメインバンドリングの場合、送信機（例えば、基地局）は受信機（例えば、端末）にポート／ビームレベルなどにバンドリングを指示することができ、このときのポート／ビームは対応している特定ＲＳ及び／又はチャネルに該当することができる（例えば、同一のプリコーダが送信機で区分されるｎｏｍｉｎａｌポート／ビームに用いられなければならない場合）。
−コード−ドメインバンドリングの場合、送信機（例えば、基地局）は受信機（例えば、端末）に特定の他のシーケンス（例えば、相異なるスクランブリングパラメータにより生成された）又は他のカバーコード（例えば、ＯＣＣ）間にバンドリングを指示することができる。
【０３３３】
このように、ＲＳ、ＳＳ及び／又はチャネル間に特定（｛周波数、時間、空間及び／又はコード｝−ドメインバンドリングを適用できるようにする）ＧＣＬ仮定が可能であるという設定／指示を受けると、受信者は該当ＲＳ、ＳＳ、及び／又はチャネル間にＧＣＬ仮定を適用して｛周波数、時間、空間及び／又はコード｝−ドメインバンドリングによる受信性能を向上させることができる。このような動作は、ＲＳ、ＳＳ、及び／又はチャネル間に通常の動作は相異なるが、送信者の意図によって受信者に特定の場合に（一時的に）上記のようなＧＣＬ仮定の設定／指示を可能にすることにより様々な送信柔軟性（flexibility）を提供し、受信性能を向上させることができるという利点がある。
【０３３４】
一例として、前記例示のように、ＰＣＲＳとＤＭＲＳは（相異なるアンテナポートナンバーが付与されることができ）基本的に意図する動作が相異なることがあるが（例えば、ＰＣＲＳは位相補償目的、ＤＭＲＳはデータ復調目的）、もしＧＣＬ仮定が可能であるという設定／指示が提供されると、データ復調の目的でも（ＤＭＲＳと）ＧＣＬされたＰＣＲＳを共にＤＭＲＳ受信処理に活用することにより受信性能を向上させることができる。
【０３３５】
また他の例として、このような特定ＲＳ間の動作だけでなく、「ＰＳＳ／ＳＳＳ／ＥＳＳ（Extended Synchronization Signal）及び／又はＢＲＳ」の関係を考慮して特定の設定／指示されるＧＣＬ関係によって、ＰＳＳがＳＳＳのチャネル推定参照信号として活用できるようにすることによりＳＳＳ受信性能を向上させることができる。これと類似して、ＢＲＳも特定ＰＳＳ／ＳＳＳ／ＥＳＳとＧＣＬ仮定ができるように設定されると、これにより、ＢＲＳの受信性能も向上させることができる。
【０３３６】
また、ＧＣＬ仮定は、同一のＲＳ、ＳＳ、又はチャネル内でも特定の相異なる（｛周波数、時間、空間及び／又はコード｝−ドメイン）に対して端末がＧＣＬ仮定適用によるバンドリングを行うことができるように設定／指示されることもできる。
【０３３７】
例えば、特定ＣＳＩ−ＲＳ（資源及び／又はポート）に対して特定時点（time instance）に対してＧＣＬ仮定が設定／指示されると、実際各ＣＳＩ−ＲＳ送信がＤＣＩにより（1−ｓｈｏｔ）動的指示された場合であっても、端末はこのような１−ｓｈｏｔ ＣＳＩ−ＲＳ測定間の測定サンプルを前記ＧＣＬされた（又はＧＣＬ仮定が設定／示された）時点（time instance）にわたって平均化／結合（averaging/combining）することができる。送信者の側面でこれは、前記ＧＣＬされた時点（time instances）に対しては、例えば、各ＣＳＩ−ＲＳ送信時に適用するビームフォーミング係数を変化させてはならないことを意味する。結局、各ビームフォーミングされたＣＳＩ−ＲＳ送信時に適用されるプリコーダは、受信機−トランスペアレントに（transparent）送信できるが、少なくとも前記ＧＣＬされた時点（time instances）内では同一プリコーダが維持／適用されたＣＳＩ−ＲＳが送信されることを送信機が保証することができる。これにより、受信機がＧＣＬされた（非周期的）ＣＳＩ−ＲＳを測定及び結合（combining）して十分な測定サンプルを確保し、これにより、特定ＬＳＰを推定することができるという効果がある。このように推定されたＬＳＰを持って他のＲＳ（例えば、ＤＭＲＳ）と前述したＱＣＬ設定／指示などが可能であり、これによりＤＭＲＳベースのデータ復調性能を向上させることができる。
【０３３８】
前述したように、ＧＣＬを設定／指示するＧＣＬインジケータ（例えば、ＤＣＩ内に定義されたＧＣＬ指示フィールド）は、１−ｂｉｔフィールドなどから構成されて「トグリング」形態で実現できる。例えば、非周期的ＣＳＩ−ＲＳ送信がトリガリングされながら、送信されたＧＣＬインジケータが「０」で、最も近くに送信／測定された（該当ＣＳＩ−ＲＳと同一のＩＤの）ＣＳＩ−ＲＳ送信のＧＣＬインジケータも「０」であった場合（すなわち、ＧＣＬインジケータがトグリングされた場合）、端末はこの２種類ＣＳＩ−ＲＳ送信間にＧＣＬ仮定を適用してバンドリング／結合／平均化（bundling/combining/averaging）動作を行うことができる。このような方式で、端末は、後続するＣＳＩ−ＲＳに対するＧＣＬインジケータもトグリングされない形態で送信された場合、後続するＣＳＩ−ＲＳに対しても継続して共にバンドリングすることができる。もし、後続するＣＳＩ−ＲＳ送信に対するＧＣＬインジケータがトグリングされて送信された場合、端末は該当ＣＳＩ−ＲＳに対してこれ以上バンドリングしないことができる。
【０３３９】
このように、最も近くに送信されたＣＳＩ−ＲＳに対して指示されたＧＣＬインジケータ値（例えば、トグリング可否）によって端末がバンドリング実行／適用可否を決定する動作は、（同一のＣＳＩ−ＲＳ ＩＤであっても）該当ＣＳＩ−ＲＳの他のＲＳ（例えば、ＢＲＳ及び／又はＢＲＲＳ）とのＱＣＬと同一のＱＣＬとして指示されたＣＳＩ−ＲＳ送信時点（instance）のみを集めたセット内での最も近くの時点と比較して（トグリング可否により）ＧＣＬ仮定を適用するか否かを決定する形態に限定される。これは、同一のＣＳＩ−ＲＳ ＩＤによる送信であっても、前述したように、資源を共有する状態で他のＲＳ（例えば、ＢＲＳ及び／又はＢＲＲＳ）とＱＣＬされたＣＳＩ−ＲＳ送信が非周期的に柔軟に送信されることができるためである。つまり、端末は、このように同一の「ＣＳＩ−ＲＳ ｔｏ 他のＲＳ（例えば、ＢＲＳ及び／又はＢＲＲＳ）ＱＣＬ」に従うＣＳＩ−ＲＳ送信時点内で前記ＧＣＬ仮定可否を適用する形態に制限されることができる。
【０３４０】
このような制限動作は、前記「ＣＳＩ−ＲＳ ｔｏ 他のＲＳ（例えば、ＢＲＳ及び／又はＢＲＲＳ） ＱＣＬ」のようなＣＳＩ−ＲＳ送信時点のみを集めて適用するようにする方法以外にも、以下のような形態でＤＣＩフィールドが構成される場合などにおいては該当ＤＣＩフィールドを通じて指示されるＣＳＩ ｐｒｏｃｅｓｓ ＩＤが同一のＣＳＩ−ＲＳ送信時点のみを集めてバンドリングを適用するようにするなどで端末に多様にシグナリング指示されることができる。また、以下の表のように、どのように前記制限されたセットを決定することができるかどうかは、適用されるＤＣＩフィールドにより様々な実施形態として実現できる。
【０３４１】
【表４】
2019528601.tif 000020
【０３４２】
本明細書においては一部の例示のみに言及したが、前記ＧＣＬ関連動作は、本発明で言及された全てのＱＣＬ関連提案動作に対してもＱＣＬの代わりにＧＣＬ（及び、その関連定義／属性）に代替されて適用できる（ＱＣＬより強化された特性を適用できるようにすることがＧＣＬ概念であるので）。
【０３４３】
図１４は、本発明の一実施形態による端末のＲＳ受信方法を例示したフローチャートである。本フローチャートと関連して前述した実施形態に関する説明が同一／類似するように適用されることができ、重複する説明は省略する。
【０３４４】
まず、端末は、第１アンテナポートを介して第１ＲＳを受信することができる（Ｓ１４１０）。次に、端末は、第１アンテナポートとＱＣＬ仮定される第２アンテナポートを介して第２ＲＳを受信することができる（Ｓ１４２０）。このとき、第１及び第２アンテナポートは少なくとも１つのＱＣＬパラメータに対してＱＣＬ仮定されるが、前記少なくとも１つのＱＣＬパラメータは受信ビーム関連パラメータを含むことができる。
【０３４５】
受信ビーム関連パラメータは、受信ビーム方向パラメータ（例えば、ＡＡ）及び／又は受信ビーム幅関連パラメータ（例えば、ＡＳ）を含むことができる。
【０３４６】
第２ＲＳは、第１ＲＳと同一の種類又は相異なる種類のＲＳに該当することができる。
【０３４７】
一例として、第１ＲＳは、第１ＣＳＩ−ＲＳ資源にマッピングされた第１ＣＳＩ−ＲＳであり、第２ＲＳは、第１ＣＳＩ−ＲＳ資源と異なる第２ＣＳＩ−ＲＳ資源にマッピングされた第２ＣＳＩ−ＲＳにそれぞれ該当することができる。この場合、第１ＣＳＩ−ＲＳ資源に対応する第１アンテナポートと第２ＣＳＩ−ＲＳ資源に対応する第２アンテナポート間に（少なくとも）受信ビーム関連パラメータに対してＱＣＬが仮定されることができる。
【０３４８】
他の例として、第１及び第２ＲＳが同一のＣＳＩ−ＲＳ資源にマッピングされた同一のＣＳＩ−ＲＳに該当することができる。この場合、前記同一のＣＳＩ−ＲＳ資源に対応する第１と第２アンテナポート間に（少なくとも）受信ビーム関連パラメータに対してＱＣＬが仮定されることができる。
【０３４９】
他の例として、第１ＲＳはＣＳＩ−ＲＳであり、第２ＲＳはＳＳ（例えば、ＰＳＳ、ＳＳＳ及び／又はＥＳＳ）にそれぞれ該当することができる。この場合、ＣＳＩ−ＲＳに対応する第１アンテナポートとＳＳに対応する第２アンテナポート間に（少なくとも）受信ビーム関連パラメータに対してＱＣＬが仮定されることができる。
【０３５０】
他の例として、第１ＲＳはＤＭＲＳであり、第２ＲＳはＰＣＲＳにそれぞれ該当することができる。この場合、ＤＭＲＳに対応する第１アンテナポートとＰＣＲＳに対応する第２アンテナポート間に予め定義されている「全ての」 ＱＣＬパラメータに対してＱＣＬが仮定されることができる。ここで、「全てのＱＣＬパラメータに対してＱＣＬ仮定可能である」ということは、結局第１と第２アンテナ間に同一のプリコーディングの仮定が可能であることと解析されることができる。すなわち、端末は、ＤＭＲＳに対応する第１アンテナポートとＰＣＲＳに対応する第２アンテナポート間に同一のプリコーディングを仮定することができる。本例において、ＰＣＲＳは位相トラッキングのための参照信号に該当し、ＰＴ−ＲＳと称されることもできる。第１と第２アンテナ間にＱＣＬ仮定される「全ての」 ＱＣＬパラメータは、受信ビーム関連パラメータ、遅延拡散（Delay spread）パラメータ、ドップラー拡散（Doppler spread）パラメータ、ドップラーシフト（Doppler shift）パラメータ、平均利得（Average gain）パラメータ及び／又は平均遅延（Average delay）パラメータを含むことができる。
【０３５１】
第１と第２アンテナポート間ＱＣＬ仮定されるＱＣＬパラメータは、階層化したＱＣＬシグナリングを通じて端末に指示されることができる。ここで階層化したＱＣＬシグナリングとは、複数回にわたって最終ＱＣＬパラメータが端末に設定されるシグナリング方式を意味する。例えば、端末は、まず複数の１次候補（candidate）ＱＣＬ設定パラメータセットの設定をＲＲＣシグナリングを通じて受けることができる。次に、端末は、複数の１次候補ＱＣＬ設定パラメータセットの中から選択される複数の２次候補ＱＣＬ設定パラメータセットの設定をＬ２（Layer 2）／ＭＡＣ（medium access control）層シグナリングを通じて受けることができる。次に、端末は、複数の２次候補ＱＣＬ設定パラメータセットの中から最終選択されたＱＣＬ設定パラメータセットの設定をＬ１（Layer 1）／ＰＨＹ（Physical）層シグナリングを通じて受けることができる。
【０３５２】
＜本発明が適用できる装置一般＞
図１５は、本発明の一実施形態による無線通信装置のブロック構成図を例示する。
【０３５３】
図１５に示すように、無線通信システムは、基地局（ｅＮＢ）１５１０と、基地局１５１０領域内に位置する複数の端末（ＵＥ）１５２０とを含む。
【０３５４】
基地局１５１０は、プロセッサ（processor）１５１１、メモリ（memory）１５１２及びＲＦユニット（radio frequency unit）１５１３を含む。プロセッサ１５１１は、前述の図１ないし図１４において提案された機能、過程及び／又は方法を実現する。無線インタフェースプロトコルの階層は、プロセッサ１５１１により実現されることができる。メモリ１５１２は、プロセッサ１５１１に接続され、プロセッサ１５１１を駆動するための多様な情報を保存する。ＲＦユニット１５１３は、プロセッサ１５１１に接続され、無線信号を送信及び／又は受信する。
【０３５５】
端末１５２０は、プロセッサ１５２１、メモリ１５２２及びＲＦユニット１５２３を含む。プロセッサ１５２１は、前述した実施形態で提案された機能、過程及び／又は方法を実現する。無線インタフェースプロトコルの階層は、プロセッサ１５２１により実現されることができる。メモリ１５２２は、プロセッサ１５２１に接続され、プロセッサ１５２１を駆動するための多様な情報を保存する。ＲＦユニット１５２３は、プロセッサ１５２１に接続され、無線信号を送信及び／又は受信する。
【０３５６】
メモリ１５１２、１５２２は、プロセッサ１５１１、１５２１の内部又は外部に存在し、周知の多様な手段でプロセッサ１５１１、１５２１に接続される。また、基地局１５１０及び／又は端末１５２０は１つのアンテナ（single antenna）又は多重アンテナ（multiple antenna）を有することができる。
【０３５７】
以上で説明された実施形態は本発明の構成要素と特徴が所定の形態に結合されたものである。各構成要素または特徴は、別途の明示的な言及がない限り、選択的なものとして考慮されなければならない。各構成要素または特徴は他の構成要素や特徴と結合されない形態に実施できる。また、一部構成要素及び／又は特徴を結合して本発明の実施形態を構成することも可能である。本発明の実施形態で説明される動作の順序は変更可能である。ある実施形態の一部構成や特徴は他の実施形態に含まれることができ、または他の実施形態の対応する構成または特徴と取替えできる。特許請求範囲で明示的な引用関係がない請求項を結合して実施形態を構成するか、または出願後の補正により新たな請求項に含めることができることは明らかである。
【０３５８】
本発明に従う実施形態は多様な手段、例えば、ハードウェア、ファームウエア（ｆｉｒｍｗａｒｅ）、ソフトウェア、またはそれらの結合などにより具現できる。ハードウェアによる具現の場合、本発明の一実施形態は１つまたはその以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロ・プロセッサなどにより具現できる。
【０３５９】
ファームウエアやソフトウェアによる具現の場合、本発明の一実施形態は以上で説明された機能または動作を遂行するモジュール、手続、関数などの形態に具現できる。ソフトウェアコードは、メモリに格納されてプロセッサにより駆動できる。前記メモリは、前記プロセッサ内部または外部に位置し、既に公知された多様な手段により前記プロセッサとデータをやり取りすることができる。
【０３６０】
本発明は、本発明の必須的特徴を逸脱しない範囲で他の特定の形態に具体化できることは当業者に明らかである。したがって、前述した詳細な説明は全ての面から制約的に解析されてはならず、例示的なものとして考慮されなければならない。本発明の範囲は添付の請求項の合理的解析により決定されなければならず、本発明の等価的範囲内での全ての変更は本発明の範囲に含まれる。
【産業上の利用可能性】
【０３６１】
本発明は３ＧＰＰ  ＬＴＥ／ＬＴＥ−Ａ/NR システムに適用される例を中心として説明したが、３ＧＰＰ  ＬＴＥ／ＬＴＥ−Ａ/NR システムの他にも多様な無線通信システムに適用可能である。
【図１】
2019528601.tif 000021
【図２】
2019528601.tif 000022
【図３】
2019528601.tif 000023
【図４】
2019528601.tif 000024
【図５】
2019528601.tif 000025
【図６】
2019528601.tif 000026
【図７】
2019528601.tif 000027
【図８】
2019528601.tif 000028
【図９（ａ）】
2019528601.tif 000029
【図９（ｂ）】
2019528601.tif 000030
【図９（ｃ）】
2019528601.tif 000031
【図１０】
2019528601.tif 000032
【図１１】
2019528601.tif 000033
【図１２】
2019528601.tif 000034
【図１３】
2019528601.tif 000035
【図１４】
2019528601.tif 000036
【図１５】
2019528601.tif 000037
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
無線通信システムにおいて端末が参照信号（Reference Signal：ＲＳ）を受信する方法であって、
空間受信パラメータに関連するＱＣＬ（Quasi Co-Location）設定情報を受信するステップであって、前記ＱＣＬ設定情報は、前記空間受信パラメータに基づいて、（ｉ）第１ＲＳを受信するための第１アンテナポートと（ｉｉ）第２ＲＳを受信するための第２アンテナポートとの間のＱＣＬ関係を設定する、ステップと、
前記第１アンテナポートを介して前記第１ＲＳを受信するステップと、
前記第１アンテナポートと前記ＱＣＬ関係を有する前記第２アンテナポートを介して前記第２ＲＳを受信するステップと、を含み、
前記ＱＣＬ関係は、前記空間受信パラメータに基づいている、方法。
【請求項２】
前記空間受信パラメータは、（ｉ）前記端末によってビームが受信される方向又は（ｉｉ）受信ビーム幅の少なくとも一つに関連する、請求項１に記載の方法。
【請求項３】
前記第２ＲＳのＲＳタイプは、前記第１ＲＳのＲＳタイプと同一である、請求項１に記載の方法。
【請求項４】
前記第１ＲＳは、第１ＣＳＩ（Channel state information）−ＲＳ資源にマッピングされた第１ＣＳＩ−ＲＳであり、
前記第２ＲＳは、前記第１ＣＳＩ−ＲＳ資源と異なる第２ＣＳＩ−ＲＳ資源にマッピングされた第２ＣＳＩ−ＲＳであり、
前記第１ＣＳＩ−ＲＳ資源を受信するための前記第１アンテナポート及び前記第２ＣＳＩ−ＲＳ資源を受信するための前記第２アンテナポートは、前記空間受信パラメータに基づいた前記ＱＣＬ関係を有するように設定される、請求項３に記載の方法。
【請求項５】
前記第１ＲＳ及び前記第２ＲＳは、同一のＣＳＩ−ＲＳ資源にマッピングされた同一のＣＳＩ−ＲＳである、請求項３に記載の方法。
【請求項６】
前記第１ＲＳのＲＳタイプは、ＣＳＩ−ＲＳであり、前記第２ＲＳのＲＳタイプは、ＳＳ（Synchronization Signal）であり、
前記ＣＳＩ−ＲＳを受信するための前記第１アンテナポート及び前記ＳＳを受信するための前記第２アンテナポートは、前記空間受信パラメータに基づいた前記ＱＣＬ関係を有するように設定される、請求項１に記載の方法。
【請求項７】
前記第１ＲＳのＲＳタイプは、ＤＭＲＳ（Demodulation RS）であり、前記第２ＲＳのＲＳタイプは、ＰＣＲＳ（Phase noise compensation RS）であり、
前記ＤＭＲＳを受信するための前記第１アンテナポート及び前記ＰＣＲＳを受信するための前記第２アンテナポートは、複数のＱＣＬパラメータに関して前記ＱＣＬ関係を有するように設定される、請求項３に記載の方法。
【請求項８】
前記ＰＣＲＳは、位相トラッキングのための参照信号に該当する、請求項７に記載の方法。
【請求項９】
前記複数のＱＣＬパラメータは、前記空間受信パラメータ、及び、遅延拡散パラメータ、ドップラー拡散パラメータ、ドップラーシフトパラメータ、平均利得パラメータ又は平均遅延パラメータの少なくとも一つを含むことを特徴とする、請求項７に記載の方法。
【請求項１０】
前記ＤＭＲＳを受信するための前記第１アンテナポートに対する第１プリコーディングは、前記ＰＣＲＳを受信するための前記第２アンテナポートに対する第２プリコーディングと同一である、請求項７に記載の方法。
【請求項１１】
前記第２アンテナポートは、少なくとも一つのＱＣＬパラメータに対する前記第１アンテナポートと前記ＱＣＬ関係を有し、
前記少なくとも一つのＱＣＬパラメータは、階層化したＱＣＬシグナリングを介して前記端末に指示される、請求項１に記載の方法。
【請求項１２】
前記端末は、複数の１次候補ＱＣＬ設定パラメータセットによってＲＲＣ（Radio Resource Control）シグナリングを介して設定され、
前記端末は、前記複数の１次候補ＱＣＬ設定パラメータセットの中から選択された複数の２次候補ＱＣＬ設定パラメータセットによってＬ２（Layer 2）／ＭＡＣ（medium access control）層シグナリングを介して設定され、
前記端末は、前記複数の２次候補ＱＣＬ設定パラメータセットの中から選択されたＱＣＬ設定パラメータセットによってＬ１（Layer 1）／ＰＨＹ（Physical）層シグナリングを介して設定される、請求項１１に記載の方法。
【請求項１３】
無線通信システムにおいて参照信号（Reference Signal：ＲＳ）を受信するように設定された端末であって、
ＲＦ（Radio Frequency）ユニットと、
少なくとも一つのプロセッサと、
前記少なくとも一つのプロセッサと動作可能に接続され、実行されるときに、前記少なくとも一つのプロセッサに、
空間受信パラメータに関連するＱＣＬ（Quasi Co-Location）設定情報を受信することであって、前記ＱＣＬ設定情報は、前記空間受信パラメータに基づいて、（ｉ）第１ＲＳを受信するための第１アンテナポートと（ｉｉ）第２ＲＳを受信するための第２アンテナポートとの間のＱＣＬ関係を設定する、ことと、
前記ＲＦユニットを使用して、前記第１アンテナポートを介して前記第１ＲＳを受信することと、
前記ＲＦユニットを使用して、前記第１アンテナポートと前記ＱＣＬ関係を有する前記第２アンテナポートを介して前記第２ＲＳを受信することと、
を含む動作を実行させる命令を記憶する、少なくとも一つのコンピュータメモリと、を含み、
前記ＱＣＬ関係は、前記空間受信パラメータに基づいている、端末。
【請求項１４】
前記空間受信パラメータは、（ｉ）前記端末によってビームが受信される方向又は（ｉｉ）受信ビーム幅の少なくとも一つに関連する、請求項１３に記載の端末。
【請求項１５】
前記第２ＲＳのＲＳタイプは、前記第１ＲＳのＲＳタイプと同一である、請求項１３に記載の端末。
【請求項１６】
前記ＤＭＲＳを受信するための前記第１アンテナポート及び前記ＰＣＲＳを受信するための前記第２アンテナポートは、前記第１アンテナポート及び前記第２アンテナポートのために定義されたすべてのＱＣＬパラメータに関して前記ＱＣＬ関係を有するように設定される、請求項７に記載の方法。
【請求項１７】
前記空間受信パラメータは、ＡＡ（Average Angle）又はＡＳ（Angular Spread）の少なくとも一つに関連する、請求項２に記載の方法。
【請求項１８】
前記空間受信パラメータに基づいて、前記第１アンテナポートと前記ＱＣＬ関係を有する前記第２アンテナポートを介して前記第２ＲＳを受信するステップは、前記第１アンテナポートを介して受信された前記第１ＲＳから取得された前記空間受信パラメータの第１の値に基づいて、前記第２アンテナポートを介して前記第２ＲＳを受信するための前記空間受信パラメータの第２の値を決定するステップを含む、請求項１に記載の方法。
【国際調査報告】
2019528601.tif 000038
2019528601.tif 000039
2019528601.tif 000040
2019528601.tif 000041